(57)【特許請求の範囲】
【請求項１】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させることを備え、
ここにおいて、前記第１のＳＩＭが第１ＳＩＭアクティブモードにある前記第１の期間中、前記第２のＳＩＭをサポートするために前記ＷＬＡＮトランシーバを動作させることは、
前記ＷＬＡＮトランシーバの受信チェーンを用いて、前記第１の期間中、前記第２のＳＩＭのために前記ＵＥにおいてＷＷＡＮから受信される第１の信号を処理することと、
前記ＷＷＡＮトランシーバの送信チェーンを用いて、前記第１の期間中、前記第２のＳＩＭのために前記ＵＥから前記ＷＷＡＮに送信されるべき第２の信号を処理することとをさらに備える、
を備える、方法。
【請求項２】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させることを備え、
ここにおいて、前記第１の期間中、前記第２のＳＩＭをサポートするために前記ＷＷＡＮトランシーバを動作させることは、
前記ＷＷＡＮトランシーバの受信チェーンを用いて、前記第１の期間中、前記第２のＳＩＭのために前記ＵＥにおいてＷＷＡＮから受信される第１の信号を処理することと、
前記ＷＬＡＮトランシーバの送信チェーンを用いて、前記第１の期間中、前記第２のＳＩＭのために前記ＵＥから前記ＷＷＡＮに送信されるべき第２の信号を処理することとをさらに備える、
を備える、方法。
【請求項３】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第２のＳＩＭに関する音声呼を検出することと、
前記第１のＳＩＭが第１ＳＩＭスタンバイモードにある第１の期間中、前記第２のＳＩＭをサポートするために前記ＷＷＡＮトランシーバを動作させることから、前記第１のＳＩＭが第１ＳＩＭアクティブモードにある第２の期間中、前記第２のＳＩＭをサポートするために前記ＷＬＡＮトランシーバを動作させることへと切り替えることとをさらに備え、
ここにおいて、前記第１のＳＩＭが前記第１ＳＩＭアクティブモードにある前記第２の期間中、前記第２のＳＩＭをサポートするために前記ＷＬＡＮトランシーバを動作させることは、
前記第１のＳＩＭが前記第１ＳＩＭアクティブモードにある前記第２の期間中、前記第２のＳＩＭをサポートするために前記ＷＬＡＮトランシーバの受信チェーンまたは送信チェーンのうちの１つを動作させることを備える、
を備える、方法。
【請求項４】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第２のＳＩＭに関する音声呼を終了することと、
前記第１のＳＩＭが第１ＳＩＭアクティブモードにある第１の期間中、前記第２のＳＩＭをサポートするために前記ＷＬＡＮトランシーバを動作させることから、前記第１のＳＩＭが第１ＳＩＭスタンバイモードにある第２の期間中、前記第２のＳＩＭをサポートするために前記ＷＷＡＮトランシーバを動作させることへと切り替えることとをさらに備え、
ここにおいて、前記第１のＳＩＭが前記第１ＳＩＭスタンバイモードにある前記第２の期間中、前記第２のＳＩＭをサポートするために前記ＷＷＡＮトランシーバを動作させることは、
前記第１のＳＩＭが前記第１ＳＩＭスタンバイモードにある前記第２の期間中、前記第２のＳＩＭをサポートするために前記ＷＷＡＮトランシーバの受信チェーンまたは送信チェーンのうちの１つを動作させることを備える、
を備える、方法。
【請求項５】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
第１ＳＩＭアクティブモードとは関係なく、第２ＳＩＭアクティブモードをサポートするために前記ＷＬＡＮトランシーバを動作させることを備え、
ここにおいて、前記第１ＳＩＭアクティブモードとは関係なく、前記第２ＳＩＭアクティブモードをサポートするために前記ＷＬＡＮトランシーバを動作させることは、
前記ＷＬＡＮトランシーバの受信チェーンを用いて、前記第２のＳＩＭのために前記ＵＥにおいてＷＷＡＮから受信される第１の信号を処理することと、
前記ＷＷＡＮトランシーバの送信チェーンを用いて、前記第２のＳＩＭのために前記ＵＥから前記ＷＷＡＮに送信されるべき第２の信号を処理することとを備える、
を備える、方法。
【請求項６】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
第１ＳＩＭアクティブモードとは関係なく、第２ＳＩＭアクティブモードをサポートするために前記ＷＬＡＮトランシーバを動作させることを備え、
ここにおいて、前記第１ＳＩＭアクティブモードとは関係なく、前記第２ＳＩＭアクティブモードをサポートするために前記ＷＬＡＮトランシーバを動作させることは、
前記ＷＷＡＮトランシーバの受信チェーンを用いて、前記第２のＳＩＭのために前記ＵＥにおいてＷＷＡＮから受信される第１の信号を処理することと、
前記ＷＬＡＮトランシーバの送信チェーンを用いて、前記第２のＳＩＭのために前記ＵＥから前記ＷＷＡＮに送信されるべき第２の信号を処理することと、
を備える、方法。
【請求項７】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
前記第１のＳＩＭが第１ＳＩＭスタンバイモードから第１ＳＩＭアクティブモードへと切り替えられたことを検出することと、
前記第１のＳＩＭが前記第１ＳＩＭアクティブモードにある間、前記第２のＳＩＭをサポートするために前記ＷＷＡＮトランシーバを動作させることから、前記第２のＳＩＭをサポートするために前記ＷＬＡＮトランシーバの受信チェーンまたは送信チェーンのうちの１つを動作させることへと切り替えることと、
を備える、方法。
【請求項８】
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
前記第１のＳＩＭが第１ＳＩＭアクティブモードから第１ＳＩＭスタンバイモードへと切り替えられたことを検出することと、
前記第１のＳＩＭが前記第１ＳＩＭアクティブモードにある間、前記第２のＳＩＭをサポートするために前記ＷＬＡＮトランシーバを動作させることから、前記第２のＳＩＭをサポートするために前記ＷＷＡＮトランシーバの受信チェーンまたは送信チェーンのうちの１つを動作させることへと切り替えることと、
を備える、方法。
【請求項９】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と
ここにおいて、前記第２のＳＩＭをサポートするために前記ＷＷＡＮトランシーバと前記ＷＬＡＮトランシーバとを選択的に動作させるための手段は、
前記第１のＳＩＭが第１ＳＩＭアクティブモードにある第１の期間中、前記第２のＳＩＭをサポートするために前記ＷＬＡＮトランシーバを動作させるための手段を備え、
ここにおいて、前記第１のＳＩＭが第１ＳＩＭアクティブモードにある前記第１の期間中、前記第２のＳＩＭをサポートするために前記ＷＬＡＮトランシーバを動作させるための手段は、
前記ＷＬＡＮトランシーバの受信チェーンを用いて、前記第１の期間中、前記第２のＳＩＭのために前記ＵＥにおいてＷＷＡＮから受信される第１の信号を処理するための手段と、
前記ＷＷＡＮトランシーバの送信チェーンを用いて、前記第１の期間中、前記第２のＳＩＭのために前記ＵＥから前記ＷＷＡＮに送信されるべき第２の信号を処理するための手段とをさらに備える、
を備える、装置。
【請求項１０】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と
ここにおいて、前記第２のＳＩＭをサポートするために前記ＷＷＡＮトランシーバと前記ＷＬＡＮトランシーバとを選択的に動作させるための手段は、
前記第１のＳＩＭが第１ＳＩＭアクティブモードにある第１の期間中、前記第２のＳＩＭをサポートするために前記ＷＬＡＮトランシーバを動作させるための手段を備え、
ここにおいて、前記第１の期間中、前記第２のＳＩＭをサポートするために前記ＷＷＡＮトランシーバを動作させるための手段は、
前記ＷＷＡＮトランシーバの受信チェーンを用いて、前記第１の期間中、前記第２のＳＩＭのために前記ＵＥにおいてＷＷＡＮから受信される第１の信号を処理するための手段と、
前記ＷＬＡＮトランシーバの送信チェーンを用いて、前記第１の期間中、前記第２のＳＩＭのために前記ＵＥから前記ＷＷＡＮに送信されるべき第２の信号を処理するための手段とをさらに備える、
を備える、装置。
【請求項１１】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と
ここにおいて、前記第２のＳＩＭをサポートするために前記ＷＷＡＮトランシーバと前記ＷＬＡＮトランシーバとを選択的に動作させるための手段は、
前記第２のＳＩＭに関する音声呼を検出するための手段と、
前記第１のＳＩＭが第１ＳＩＭスタンバイモードにある第１の期間中、前記第２のＳＩＭをサポートするために前記ＷＷＡＮトランシーバを動作させることから、前記第１のＳＩＭが第１ＳＩＭアクティブモードにある第２の期間中、前記第２のＳＩＭをサポートするために前記ＷＬＡＮトランシーバを動作させることへと切り替えるための手段とをさらに備え、
ここにおいて、前記第１のＳＩＭが前記第１ＳＩＭアクティブモードにある前記第２の期間中、前記第２のＳＩＭをサポートするために前記ＷＬＡＮトランシーバを動作させるための手段は、
前記第１のＳＩＭが前記第１ＳＩＭアクティブモードにある前記第２の期間中、前記第２のＳＩＭをサポートするために前記ＷＬＡＮトランシーバの受信チェーンまたは送信チェーンのうちの１つを動作させるための手段を備える、
を備える、装置。
【請求項１２】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と
ここにおいて、前記第２のＳＩＭをサポートするために前記ＷＷＡＮトランシーバと前記ＷＬＡＮトランシーバとを選択的に動作させるための手段は、
前記第２のＳＩＭに関する音声呼を終了するための手段と、
前記第１のＳＩＭが第１ＳＩＭアクティブモードにある第１の期間中、前記第２のＳＩＭをサポートするために前記ＷＬＡＮトランシーバを動作させることから、前記第１のＳＩＭが第１ＳＩＭスタンバイモードにある第２の期間中、前記第２のＳＩＭをサポートするために前記ＷＷＡＮトランシーバを動作させることへと切り替えるための手段とをさらに備え、
ここにおいて、前記第１のＳＩＭが前記第１ＳＩＭスタンバイモードにある前記第２の期間中、前記第２のＳＩＭをサポートするために前記ＷＷＡＮトランシーバを動作させるための手段は、
前記第１のＳＩＭが前記第１ＳＩＭスタンバイモードにある前記第２の期間中、前記第２のＳＩＭをサポートするために前記ＷＷＡＮトランシーバの受信チェーンまたは送信チェーンのうちの１つを動作させるための手段を備える、
を備える、装置。
【請求項１３】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と
ここにおいて、前記第２のＳＩＭをサポートするために前記ＷＷＡＮトランシーバと前記ＷＬＡＮトランシーバとを選択的に動作させるための手段は、
第１ＳＩＭアクティブモードとは関係なく、第２ＳＩＭアクティブモードをサポートするために前記ＷＬＡＮトランシーバを動作させるための手段を備え、
ここにおいて、前記第１ＳＩＭアクティブモードとは関係なく、前記第２ＳＩＭアクティブモードをサポートするために前記ＷＬＡＮトランシーバを動作させるための手段は、
前記ＷＬＡＮトランシーバの受信チェーンを用いて、前記第２のＳＩＭのために前記ＵＥにおいてＷＷＡＮから受信される第１の信号を処理するための手段と、
前記ＷＷＡＮトランシーバの送信チェーンを用いて、前記第２のＳＩＭのために前記ＵＥから前記ＷＷＡＮに送信されるべき第２の信号を処理するための手段とを備える、
を備える、装置。
【請求項１４】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と
ここにおいて、前記第２のＳＩＭをサポートするために前記ＷＷＡＮトランシーバと前記ＷＬＡＮトランシーバとを選択的に動作させるための手段は、
第１ＳＩＭアクティブモードとは関係なく、第２ＳＩＭアクティブモードをサポートするために前記ＷＬＡＮトランシーバを動作させるための手段を備え、
ここにおいて、前記第１ＳＩＭアクティブモードとは関係なく、前記第２ＳＩＭアクティブモードをサポートするために前記ＷＬＡＮトランシーバを動作させるための手段は、
前記ＷＷＡＮトランシーバの受信チェーンを用いて、前記第２のＳＩＭのために前記ＵＥにおいてＷＷＡＮから受信される第１の信号を処理するための手段と、
前記ＷＬＡＮトランシーバの送信チェーンを用いて、前記第２のＳＩＭのために前記ＵＥから前記ＷＷＡＮに送信されるべき第２の信号を処理するための手段とを備える、
を備える、装置。
【請求項１５】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と、
前記第１のＳＩＭが第１ＳＩＭスタンバイモードから第１ＳＩＭアクティブモードへと切り替えられたことを検出するための手段と、
前記第１のＳＩＭが前記第１ＳＩＭアクティブモードにある間、前記第２のＳＩＭをサポートするために前記ＷＷＡＮトランシーバを動作させることから、前記第２のＳＩＭをサポートするために前記ＷＬＡＮトランシーバの受信チェーンまたは送信チェーンのうちの１つを動作させることへと切り替えるための手段と、
を備える、方法。
【請求項１６】
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と、
前記第１のＳＩＭが第１ＳＩＭアクティブモードから第１ＳＩＭスタンバイモードへと切り替えられたことを検出するための手段と、
前記第１のＳＩＭが前記第１ＳＩＭアクティブモードにある間、前記第２のＳＩＭをサポートするために前記ＷＬＡＮトランシーバを動作させることから、前記第２のＳＩＭをサポートするために前記ＷＷＡＮトランシーバの受信チェーンまたは送信チェーンのうちの１つを動作させることへと切り替えるための手段と、
を備える、装置。
【請求項１７】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させることを備え、
ここにおいて、前記第１のＳＩＭが第１ＳＩＭアクティブモードにある前記第１の期間中、前記第２のＳＩＭをサポートするために前記ＷＬＡＮトランシーバを動作させることは、
前記ＷＬＡＮトランシーバの受信チェーンを用いて、前記第１の期間中、前記第２のＳＩＭのために前記ＵＥにおいてＷＷＡＮから受信される第１の信号を処理することと、
前記ＷＷＡＮトランシーバの送信チェーンを用いて、前記第１の期間中、前記第２のＳＩＭのために前記ＵＥから前記ＷＷＡＮに送信されるべき第２の信号を処理することとをさらに備える、
を行うように前記プロセッサによって実行可能である、装置。
【請求項１８】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させることを備え、
ここにおいて、前記第１の期間中、前記第２のＳＩＭをサポートするために前記ＷＷＡＮトランシーバを動作させることは、
前記ＷＷＡＮトランシーバの受信チェーンを用いて、前記第１の期間中、前記第２のＳＩＭのために前記ＵＥにおいてＷＷＡＮから受信される第１の信号を処理することと、
前記ＷＬＡＮトランシーバの送信チェーンを用いて、前記第１の期間中、前記第２のＳＩＭのために前記ＵＥから前記ＷＷＡＮに送信されるべき第２の信号を処理することとをさらに備える、
を行うように前記プロセッサによって実行可能である、装置。
【請求項１９】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第２のＳＩＭに関する音声呼を検出することと、
前記第１のＳＩＭが第１ＳＩＭスタンバイモードにある第１の期間中、前記第２のＳＩＭをサポートするために前記ＷＷＡＮトランシーバを動作させることから、前記第１のＳＩＭが第１ＳＩＭアクティブモードにある第２の期間中、前記第２のＳＩＭをサポートするために前記ＷＬＡＮトランシーバを動作させることへと切り替えることとをさらに備え、
ここにおいて、前記第１のＳＩＭが前記第１ＳＩＭアクティブモードにある前記第２の期間中、前記第２のＳＩＭをサポートするために前記ＷＬＡＮトランシーバを動作させることは、
前記第１のＳＩＭが前記第１ＳＩＭアクティブモードにある前記第２の期間中、前記第２のＳＩＭをサポートするために前記ＷＬＡＮトランシーバの受信チェーンまたは送信チェーンのうちの１つを動作させることを備える、
を行うように前記プロセッサによって実行可能である、装置。
【請求項２０】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第２のＳＩＭに関する音声呼を終了することと、
前記第１のＳＩＭが第１ＳＩＭアクティブモードにある第１の期間中、前記第２のＳＩＭをサポートするために前記ＷＬＡＮトランシーバを動作させることから、前記第１のＳＩＭが第１ＳＩＭスタンバイモードにある第２の期間中、前記第２のＳＩＭをサポートするために前記ＷＷＡＮトランシーバを動作させることへと切り替えることとをさらに備え、
ここにおいて、前記第１のＳＩＭが前記第１ＳＩＭスタンバイモードにある前記第２の期間中、前記第２のＳＩＭをサポートするために前記ＷＷＡＮトランシーバを動作させることは、
前記第１のＳＩＭが前記第１ＳＩＭスタンバイモードにある前記第２の期間中、前記第２のＳＩＭをサポートするために前記ＷＷＡＮトランシーバの受信チェーンまたは送信チェーンのうちの１つを動作させることを備える、
を行うように前記プロセッサによって実行可能である、装置。
【請求項２１】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
第１ＳＩＭアクティブモードとは関係なく、第２ＳＩＭアクティブモードをサポートするために前記ＷＬＡＮトランシーバを動作させることを備え、
ここにおいて、前記第１ＳＩＭアクティブモードとは関係なく、前記第２ＳＩＭアクティブモードをサポートするために前記ＷＬＡＮトランシーバを動作させることは、
前記ＷＬＡＮトランシーバの受信チェーンを用いて、前記第２のＳＩＭのために前記ＵＥにおいてＷＷＡＮから受信される第１の信号を処理することと、
前記ＷＷＡＮトランシーバの送信チェーンを用いて、前記第２のＳＩＭのために前記ＵＥから前記ＷＷＡＮに送信されるべき第２の信号を処理することとを備える、
を行うように前記プロセッサによって実行可能である、装置。
【請求項２２】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
第１ＳＩＭアクティブモードとは関係なく、第２ＳＩＭアクティブモードをサポートするために前記ＷＬＡＮトランシーバを動作させることを備え、
ここにおいて、前記第１ＳＩＭアクティブモードとは関係なく、前記第２ＳＩＭアクティブモードをサポートするために前記ＷＬＡＮトランシーバを動作させることは、
前記ＷＷＡＮトランシーバの受信チェーンを用いて、前記第２のＳＩＭのために前記ＵＥにおいてＷＷＡＮから受信される第１の信号を処理することと、
前記ＷＬＡＮトランシーバの送信チェーンを用いて、前記第２のＳＩＭのために前記ＵＥから前記ＷＷＡＮに送信されるべき第２の信号を処理することとを備える、
を行うように前記プロセッサによって実行可能である、装置。
【請求項２３】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
前記第１のＳＩＭが第１ＳＩＭスタンバイモードから第１ＳＩＭアクティブモードへと切り替えられたことを検出することと、
前記第１のＳＩＭが前記第１ＳＩＭアクティブモードにある間、前記第２のＳＩＭをサポートするために前記ＷＷＡＮトランシーバを動作させることから、前記第２のＳＩＭをサポートするために前記ＷＬＡＮトランシーバの受信チェーンまたは送信チェーンのうちの１つを動作させることへと切り替えることと、
を行うように前記プロセッサによって実行可能である、装置。
【請求項２４】
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
前記第１のＳＩＭが第１ＳＩＭアクティブモードから第１ＳＩＭスタンバイモードへと切り替えられたことを検出することと、
前記第１のＳＩＭが前記第１ＳＩＭアクティブモードにある間、前記第２のＳＩＭをサポートするために前記ＷＬＡＮトランシーバを動作させることから、前記第２のＳＩＭをサポートするために前記ＷＷＡＮトランシーバの受信チェーンまたは送信チェーンのうちの１つを動作させることへと切り替えることと、
を行うように前記プロセッサによって実行可能である、装置。
【請求項２５】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させることを備え、
ここにおいて、前記第１のＳＩＭが第１ＳＩＭアクティブモードにある前記第１の期間中、前記第２のＳＩＭをサポートするために前記ＷＬＡＮトランシーバを動作させることは、
前記ＷＬＡＮトランシーバの受信チェーンを用いて、前記第１の期間中、前記第２のＳＩＭのために前記ＵＥにおいてＷＷＡＮから受信される第１の信号を処理することと、
前記ＷＷＡＮトランシーバの送信チェーンを用いて、前記第１の期間中、前記第２のＳＩＭのために前記ＵＥから前記ＷＷＡＮに送信されるべき第２の信号を処理することとをさらに備える、
を行うようにプロセッサによって実行可能である、非一時的コンピュータ可読媒体。
【請求項２６】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させることを備え、
ここにおいて、前記第１の期間中、前記第２のＳＩＭをサポートするために前記ＷＷＡＮトランシーバを動作させることは、
前記ＷＷＡＮトランシーバの受信チェーンを用いて、前記第１の期間中、前記第２のＳＩＭのために前記ＵＥにおいてＷＷＡＮから受信される第１の信号を処理することと、
前記ＷＬＡＮトランシーバの送信チェーンを用いて、前記第１の期間中、前記第２のＳＩＭのために前記ＵＥから前記ＷＷＡＮに送信されるべき第２の信号を処理することとをさらに備える、
を行うようにプロセッサによって実行可能である、非一時的コンピュータ可読媒体。
【請求項２７】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第２のＳＩＭに関する音声呼を検出することと、
前記第１のＳＩＭが第１ＳＩＭスタンバイモードにある第１の期間中、前記第２のＳＩＭをサポートするために前記ＷＷＡＮトランシーバを動作させることから、前記第１のＳＩＭが第１ＳＩＭアクティブモードにある第２の期間中、前記第２のＳＩＭをサポートするために前記ＷＬＡＮトランシーバを動作させることへと切り替えることとをさらに備え、
ここにおいて、前記第１のＳＩＭが前記第１ＳＩＭアクティブモードにある前記第２の期間中、前記第２のＳＩＭをサポートするために前記ＷＬＡＮトランシーバを動作させることは、
前記第１のＳＩＭが前記第１ＳＩＭアクティブモードにある前記第２の期間中、前記第２のＳＩＭをサポートするために前記ＷＬＡＮトランシーバの受信チェーンまたは送信チェーンのうちの１つを動作させることを備える、
を行うようにプロセッサによって実行可能である、非一時的コンピュータ可読媒体。
【請求項２８】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
前記第２のＳＩＭに関する音声呼を終了することと、
前記第１のＳＩＭが第１ＳＩＭアクティブモードにある第１の期間中、前記第２のＳＩＭをサポートするために前記ＷＬＡＮトランシーバを動作させることから、前記第１のＳＩＭが第１ＳＩＭスタンバイモードにある第２の期間中、前記第２のＳＩＭをサポートするために前記ＷＷＡＮトランシーバを動作させることへと切り替えることとをさらに備え、
ここにおいて、前記第１のＳＩＭが前記第１ＳＩＭスタンバイモードにある前記第２の期間中、前記第２のＳＩＭをサポートするために前記ＷＷＡＮトランシーバを動作させることは、
前記第１のＳＩＭが前記第１ＳＩＭスタンバイモードにある前記第２の期間中、前記第２のＳＩＭをサポートするために前記ＷＷＡＮトランシーバの受信チェーンまたは送信チェーンのうちの１つを動作させることを備える、
を行うようにプロセッサによって実行可能である、非一時的コンピュータ可読媒体。
【請求項２９】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
第１ＳＩＭアクティブモードとは関係なく、第２ＳＩＭアクティブモードをサポートするために前記ＷＬＡＮトランシーバを動作させることを備える、
ここにおいて、前記第１ＳＩＭアクティブモードとは関係なく、前記第２ＳＩＭアクティブモードをサポートするために前記ＷＬＡＮトランシーバを動作させることは、
前記ＷＬＡＮトランシーバの受信チェーンを用いて、前記第２のＳＩＭのために前記ＵＥにおいてＷＷＡＮから受信される第１の信号を処理することと、
前記ＷＷＡＮトランシーバの送信チェーンを用いて、前記第２のＳＩＭのために前記ＵＥから前記ＷＷＡＮに送信されるべき第２の信号を処理することとを備える、
を行うようにプロセッサによって実行可能である、非一時的コンピュータ可読媒体。
【請求項３０】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
ここにおいて、前記第２のＳＩＭをサポートするために前記ＷＷＡＮトランシーバと前記ＷＬＡＮトランシーバとを選択的に動作させることは、
第１ＳＩＭアクティブモードとは関係なく、第２ＳＩＭアクティブモードをサポートするために前記ＷＬＡＮトランシーバを動作させることを備え、
ここにおいて、前記第１ＳＩＭアクティブモードとは関係なく、前記第２ＳＩＭアクティブモードをサポートするために前記ＷＬＡＮトランシーバを動作させることは、
前記ＷＷＡＮトランシーバの受信チェーンを用いて、前記第２のＳＩＭのために前記ＵＥにおいてＷＷＡＮから受信される第１の信号を処理することと、
前記ＷＬＡＮトランシーバの送信チェーンを用いて、前記第２のＳＩＭのために前記ＵＥから前記ＷＷＡＮに送信されるべき第２の信号を処理することとを備える、
を行うようにプロセッサによって実行可能である、非一時的コンピュータ可読媒体。
【請求項３１】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
前記第１のＳＩＭが第１ＳＩＭスタンバイモードから第１ＳＩＭアクティブモードへと切り替えられたことを検出することと、
前記第１のＳＩＭが前記第１ＳＩＭアクティブモードにある間、前記第２のＳＩＭをサポートするために前記ＷＷＡＮトランシーバを動作させることから、前記第２のＳＩＭをサポートするために前記ＷＬＡＮトランシーバの受信チェーンまたは送信チェーンのうちの１つを動作させることへと切り替えることと、
を行うようにプロセッサによって実行可能である、非一時的コンピュータ可読媒体。
【請求項３２】
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと、
前記第１のＳＩＭが第１ＳＩＭアクティブモードから第１ＳＩＭスタンバイモードへと切り替えられたことを検出することと、
前記第１のＳＩＭが前記第１ＳＩＭアクティブモードにある間、前記第２のＳＩＭをサポートするために前記ＷＬＡＮトランシーバを動作させることから、前記第２のＳＩＭをサポートするために前記ＷＷＡＮトランシーバの受信チェーンまたは送信チェーンのうちの１つを動作させることへと切り替えることと、
を行うようにプロセッサによって実行可能である、非一時的コンピュータ可読媒体。
【発明の詳細な説明】
【相互参照】
【０００１】
[0001]  本特許出願は、本願の譲受人に譲渡された、２０１５年４月２９日に出願された「Resource Mapping for Multi SIM Multi Active Multi RAT Scenarios Using WLAN Transceiver Supporting Partial WWAN Transceiver Capabilities」と題された、Ｓｏｎｇ他による米国特許出願第１４／６９９，８６０号に対する優先権を主張する。
【背景技術】
【０００２】
[0002]  本願は、例えば、ワイヤレス通信システムに関し、より具体的には、ワイヤレスワイドエリアネットワーク（ＷＷＡＮ）能力をサポートするために、ワイヤレスローカルエリアネットワーク（ＷＬＡＮ）トランシーバを使用してマルチプルな無線アクセス技術（ＲＡＴ）（multiple-radio access technologies）にアクセスするマルチプルなアクティブ加入者識別モジュール（ＳＩＭ）を単一のワイヤレスデバイスが有するシナリオにおける、リソースマッピングに関する。
【関連分野の説明】
【０００３】
[0003]  ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（例えば、時間、周波数、空間、および電力）を共有することによって複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]  例として、ワイヤレス多元接続通信システムは、いくつかの基地局またはアクセスポイント（ＡＰ）を含み得、各々が、別名ユーザ機器（ＵＥ）として知られているマルチプルな通信デバイスへの通信を同時にサポートする。ＵＥは、各々が様々な無線アクセス技術（ＲＡＴ）をサポートするように構成される、マルチプルな無線機（radios）またはトランシーバを含み得る。基地局またはＡＰは、（例えば、基地局からＵＥへの送信のための）ダウンリンクチャネルおよび（例えば、ＵＥから基地局への送信のための）アップリンクチャネル上でＵＥと通信し得る。ＵＥと基地局との間の通信は、ワイヤレスワイドエリアネットワーク（ＷＷＡＮ）を使用し得、一方、ＵＥとＡＰとの間の通信は、ワイヤレスローカルエリアネットワーク（ＷＬＡＮ）を使用し得る。ＷｉーＦｉおよびＢｌｕｅｔｏｏｔｈ（登録商標）は、ＵＥによってサポートされ得るＷＬＡＮ技術の例である。ＵＥは通常、異なるＷＷＡＮおよびＷＬＡＮの受信（Ｒｘ）および送信（Ｔｘ）チェーンを含む。例えば、ＵＥは、ＷＷＡＮ送信のために使用される１つまたは複数のＲｘおよびＴｘチェーンを有し得、また、ＷＬＡＮ送信のために使用される別個のＲｘおよびＴｘチェーンも有し得る。
【０００５】
[0005]  ＷＷＡＮおよびＷＬＡＮトランシーバは、はじめは個別の通信ニーズのために設計されたかもしれないが、技術の進歩やより高いデータレートに対する需要とともに、特定のＲＡＴのための個別のトランシーバの使用は、変化し始めている。ＷＷＡＮモデムを補助するために利用可能なときはいつでも、ＷＬＡＮトランシーバを使用することが可能である。ＷＬＡＮトランシーバは、例えば、グローバル・システム・フォー・モバイル・コミュニケーションズ（ＧＳＭ（登録商標））のみなどのＷＷＡＮトランシーバ能力のサブセットをサポートし得る。加えて、それは、Ｔｘのみ、Ｒｘのみ、またはＴｘおよびＲｘの両方をサポートし得る。このような補助は、ＵＥによってサポートされる１つまたは複数の加入者識別モジュール（ＳＩＭ）を支援し得る。これらのＳＩＭは、ＵＥが特定のネットワーク上で通信することを可能にするために使用され得る。いくつかのＵＥは、デュアルまたはマルチプルＳＩＭデバイスであり、ＵＥが１つ以上のＳＩＭカードを受け取りかつ使用するように構成されることを意味する。よって、マルチプルＳＩＭデバイスは、１つ以上のネットワーク上でアクティブまたはスタンバイモードのいずれかで同時に動作し得る。例えば、デュアルＳＩＭ・デュアルアクティブ（ＤＳＤＡ：dual-SIM, dual-active）デバイスは、２つの異なるネットワーク上で同時にアクティブに送信および受信するように構成される。デュアルＳＩＭ・デュアルスタンバイ（ＤＳＤＳ：dual-SIM, dual standby）デバイスは、第２のネットワーク上でスタンバイモードにある間の、１つのネットワーク上のアクティブな送信を可能にするように構成される。マルチプルＳＩＭ・マルチプルアクティブ（ＭＳＭＡ：multiple-SIM, multiple active）、および／またはマルチプルＳＩＭ・マルチプルスタンバイ（ＭＳＭＳ：multiple-SIM, multiple standby)デバイスもまた、使用され得る。各追加のＳＩＭについて、追加のＴｘおよび／またはＲｘチェーンが使用され、ＵＥのコストおよび複雑さを増大させる。
【発明の概要】
【０００６】
[0006]  （少なくとも１つのＷＷＡＮおよび少なくとも１つのＷＬＡＮトランシーバを含む）マルチプルなＲＡＴをサポートする、すなわち、（ＤＳＤＡを含む）ＭＳＭＡシナリオにおいて動作するＵＥでは、ＷＬＡＮトランシーバの少なくとも一部分は、ＷＷＡＮトランシーバの動作をサポートするために機会主義的（opportunistically）に使用され得る。例えば、第１のＳＩＭ（ＳＩＭ１）がアクティブモードにあり、Ｔｘおよび／またはＲｘ動作のためにＷＷＡＮトランシーバを使用しているとき、ＷＬＡＮトランシーバの少なくとも一部分は、第２のＳＩＭ（ＳＩＭ２）のＷＷＡＮ動作をサポートするために使用され得る。ＷＬＡＮトランシーバは、ＳＩＭ１がＷＷＡＮトランシーバのリソースを使用し続ける間、ＳＩＭ２についてのＴｘのみ、Ｒｘのみ、またはその両方のためのＷＷＡＮ動作をサポートするために使用され得る。選択的なリソースマッピング――ここで、ＳＩＭ２は、ある時はＷＷＡＮトランシーバによってサポートされ、またある時はＷＬＡＮトランシーバによってサポートされる――は、ＷＬＡＮトランシーバによって対処される通常のＷＬＡＮ機能に対する、機会主義的なＷＬＡＮの使用の影響を低減させ得る。
【０００７】
[0007]  実例となる例の第１のセットにおいて、ワイヤレス通信のための方法が説明される。一例では、方法は、ユーザ機器（ＵＥ）の第１の加入者識別モジュール（ＳＩＭ）をサポートするために、ワイヤレスワイドエリアネットワーク（ＷＷＡＮ）トランシーバを動作させることと、ＵＥの第２のＳＩＭをサポートするために、ＷＷＡＮトランシーバとワイヤレスローカルエリアネットワーク（ＷＬＡＮ）トランシーバとを選択的に動作させることとを含み得る。
【０００８】
[0008]  方法のいくつかの例では、方法はまた、第１のＳＩＭが第１ＳＩＭスタンバイモード（first SIM standby mode）から第１ＳＩＭアクティブモード（first SIM active mode）へと切り替えられたことを検出することと、第２のＳＩＭをサポートするためにＷＷＡＮトランシーバを動作させることから、第２のＳＩＭをサポートするためにＷＬＡＮトランシーバを動作させることへと移行することとを含む。方法のいくつかの例では、第２のＳＩＭをサポートするためにＷＷＡＮトランシーバとＷＬＡＮトランシーバとを選択的に動作させることは、第１のＳＩＭが第１ＳＩＭアクティブモードにある第１の期間中、第２のＳＩＭをサポートするためにＷＬＡＮトランシーバを動作させることと、第１のＳＩＭが第１ＳＩＭスタンバイモードにあり、第２のＳＩＭが第２ＳＩＭスタンバイモード（second SIM standby mode）にある第２の期間中、第２のＳＩＭをサポートするためにＷＬＡＮトランシーバを動作させることとをさらに備える。方法のいくつかの例では、方法はまた、ＷＷＡＮトランシーバによって、第２のＳＩＭに関する音声呼を検出するために、第２のＳＩＭについてのページングを監視することと、第１のＳＩＭが第１ＳＩＭアクティブモードにある間、第２のＳＩＭに関する音声呼をサポートするために、ＷＬＡＮトランシーバを動作させることとを含む。
【０００９】
[0009]  方法のいくつかの例では、第２のＳＩＭをサポートするためにＷＷＡＮトランシーバとＷＬＡＮトランシーバとを選択的に動作させることは、第１のＳＩＭが第１ＳＩＭアクティブモードにある第１の期間中、第２のＳＩＭをサポートするためにＷＬＡＮトランシーバを動作させることを備える。方法のいくつかの例では、第１のＳＩＭが第１ＳＩＭアクティブモードにある第１の期間中、第２のＳＩＭをサポートするためにＷＬＡＮトランシーバを動作させることは、ＷＬＡＮトランシーバの受信チェーンを用いて、第１の期間中、第２のＳＩＭのためにＵＥにおいてＷＷＡＮから受信される第１の信号を処理することと、ＷＷＡＮトランシーバの送信チェーンを用いて、第１の期間中、第２のＳＩＭのためにＵＥからＷＷＡＮに送信されるべき第２の信号を処理することとをさらに備える。方法のいくつかの例では、第１の期間中、第２のＳＩＭをサポートするためにＷＷＡＮを動作させることは、ＷＷＡＮトランシーバの受信チェーンを用いて、第１の期間中、第２のＳＩＭのためにＵＥにおいてＷＷＡＮから受信される第１の信号を処理することと、ＷＬＡＮトランシーバの送信チェーンを用いて、第１の期間中、第２のＳＩＭのためにＵＥからＷＷＡＮに送信されるべき第２の信号を処理することとをさらに備える。方法のいくつかの例では、第２のＳＩＭをサポートするためにＷＷＡＮトランシーバとＷＬＡＮトランシーバとを選択的に動作させることは、第１のＳＩＭが第１ＳＩＭスタンバイモードにあり、第２のＳＩＭが第２ＳＩＭスタンバイモードにある第２の期間中、第２のＳＩＭをサポートするためにＷＷＡＮトランシーバを動作させることをさらに備える。方法のいくつかの例では、第２のＳＩＭをサポートするためにＷＷＡＮトランシーバとＷＬＡＮトランシーバとを選択的に動作させることは、第１のＳＩＭが第１ＳＩＭスタンバイモードにあり、第２のＳＩＭが第２ＳＩＭアクティブモードにある第２の期間中、第２のＳＩＭをサポートするためにＷＷＡＮトランシーバを動作させることをさらに備える。方法のいくつかの例では、第２のＳＩＭをサポートするためにＷＷＡＮトランシーバとＷＬＡＮトランシーバとを選択的に動作させることは、第１のＳＩＭが第１ＳＩＭスタンバイモードにあり、第２のＳＩＭが第２ＳＩＭアクティブモードにある第２の期間中、第２のＳＩＭをサポートするためにＷＬＡＮトランシーバを動作させることをさらに備える。
【００１０】
[0010]  方法のいくつかの例では、第２のＳＩＭをサポートするためにＷＷＡＮトランシーバとＷＬＡＮトランシーバとを選択的に動作させることは、第２のＳＩＭに関する音声呼を検出することと、第１のＳＩＭが第１ＳＩＭスタンバイモードにある第１の期間中、第２のＳＩＭをサポートするためにＷＷＡＮトランシーバを動作させることから、第１のＳＩＭが第１ＳＩＭアクティブモードにある第２の期間中、第２のＳＩＭをサポートするためにＷＬＡＮトランシーバを動作させることへと切り替えることとをさらに備える。方法のいくつかの例では、第１のＳＩＭが第１ＳＩＭアクティブモードにある第２の期間中、第２のＳＩＭをサポートするためにＷＬＡＮトランシーバを動作させることは、第１のＳＩＭが第１ＳＩＭアクティブモードにある第２の期間中、第２のＳＩＭをサポートするためにＷＬＡＮトランシーバの受信チェーンまたは送信チェーンのうちの１つを動作させることを備える。方法のいくつかの例では、第２のＳＩＭに関する音声呼を検出することは、ＵＥにおいて、音声呼についてのページをＷＷＡＮから受信することを備える。方法のいくつかの例では、音声呼は、グローバル・システム・フォー・モバイル・コミュニケーションズ（ＧＳＭ（登録商標））音声呼を備える。
【００１１】
[0011]  方法のいくつかの例では、第２のＳＩＭをサポートするためにＷＷＡＮトランシーバとＷＬＡＮトランシーバとを選択的に動作させることは、第２のＳＩＭに関する音声呼を終了することと、第１のＳＩＭが第１ＳＩＭアクティブモードにある第１の期間中、第２のＳＩＭをサポートするためにＷＬＡＮトランシーバを動作させることから、第１のＳＩＭが第１ＳＩＭスタンバイモードにある第２の期間中、第２のＳＩＭをサポートするためにＷＷＡＮトランシーバを動作させることへと切り替えることとをさらに備える。方法のいくつかの例では、第１のＳＩＭが第１ＳＩＭスタンバイモードにある第２の期間中、第２のＳＩＭをサポートするためにＷＷＡＮトランシーバを動作させることは、第１のＳＩＭが第１ＳＩＭスタンバイモードにある第２の期間中、第２のＳＩＭをサポートするためにＷＷＡＮトランシーバの受信チェーンまたは送信チェーンのうちの１つを動作させることを備える。
【００１２】
[0012]  方法のいくつかの例では、第２のＳＩＭをサポートするためにＷＷＡＮトランシーバとＷＬＡＮトランシーバとを選択的に動作させることは、第１ＳＩＭアクティブモードとは関係なく、第２ＳＩＭアクティブモードをサポートするためにＷＬＡＮトランシーバを動作させることを備える。方法のいくつかの例では、第２のＳＩＭをサポートするためにＷＷＡＮトランシーバとＷＬＡＮトランシーバとを選択的に動作させることは、第１ＳＩＭアクティブモードとは関係なく、第２ＳＩＭスタンバイモードをサポートするためにＷＬＡＮトランシーバを動作させることをさらに備える。方法のいくつかの例では、第２のＳＩＭをサポートするためにＷＷＡＮトランシーバとＷＬＡＮトランシーバとを選択的に動作させることは、第１ＳＩＭアクティブモードとは関係なく、第２ＳＩＭスタンバイモードをサポートするためにＷＷＡＮトランシーバを動作させることをさらに備える。方法のいくつかの例では、第１ＳＩＭアクティブモードとは関係なく、第２ＳＩＭアクティブモードをサポートするためにＷＬＡＮトランシーバを動作させることは、ＷＬＡＮトランシーバの受信チェーンを用いて、第２のＳＩＭのためにＵＥにおいてＷＷＡＮから受信される第１の信号を処理することと、ＷＷＡＮトランシーバの送信チェーンを用いて、第２のＳＩＭのためにＵＥからＷＷＡＮに送信されるべき第２の信号を処理することとを備える。方法のいくつかの例では、第１ＳＩＭアクティブモードとは関係なく、第２ＳＩＭアクティブモードをサポートするためにＷＬＡＮトランシーバを動作させることは、ＷＷＡＮトランシーバの受信チェーンを用いて、第２のＳＩＭのためにＵＥにおいてＷＷＡＮから受信される第１の信号を処理することと、ＷＬＡＮトランシーバの送信チェーンを用いて、第２のＳＩＭのためにＵＥからＷＷＡＮに送信されるべき第２の信号を処理することとを備える。
【００１３】
[0013]  方法のいくつかの例では、方法は、第１のＳＩＭが第１ＳＩＭスタンバイモードから第１ＳＩＭアクティブモードへと切り替えられたことを検出することと、第１のＳＩＭが第１ＳＩＭアクティブモードにある間、第２のＳＩＭをサポートするためにＷＷＡＮトランシーバを動作させることから、第２のＳＩＭをサポートするためにＷＬＡＮトランシーバの受信チェーンまたは送信チェーンのうちの１つを動作させることへと切り替えることとをさらに含む。方法のいくつかの例では、方法は、第１のＳＩＭが第１ＳＩＭアクティブモードから第１ＳＩＭスタンバイモードへと切り替えられたことを検出することと、第１のＳＩＭが第１ＳＩＭアクティブモードにある間、第２のＳＩＭをサポートするためにＷＬＡＮトランシーバを動作させることから、第２のＳＩＭをサポートするためにＷＷＡＮトランシーバの受信チェーンまたは送信チェーンのうちの１つを動作させることへと切り替えることとをさらに含む。方法のいくつかの例では、方法は、第１のＳＩＭのサポートに関連のない、および第２のＳＩＭのサポートに関連のないＵＥのＷＬＡＮ機能をサポートするために、ＷＬＡＮトランシーバを動作させることと、ＷＬＡＮ機能をサポートするためにＷＬＡＮトランシーバを動作させている間、第２のＳＩＭをサポートするためにＷＷＡＮトランシーバの動作を切り替えることとをさらに含む。
【００１４】
[0014]  実例となる例の第２のセットにおいて、ワイヤレス通信のための装置が説明される。一例では、装置は、ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、ＵＥの第２のＳＩＭをサポートするために、ＷＷＡＮトランシーバとワイヤレスローカルエリアネットワーク（ＷＬＡＮ）トランシーバとを選択的に動作させるための手段とを含み得る。装置は、第１のＳＩＭが第１ＳＩＭスタンバイモードから第１ＳＩＭアクティブモードへと切り替えられたことを検出するための手段と、第２のＳＩＭをサポートするためにＷＷＡＮトランシーバを動作させることから、第２のＳＩＭをサポートするためにＷＬＡＮトランシーバを動作させることへと移行するための手段とをさらに含み得る。
【００１５】
[0015]  実例となる例の第３のセットにおいて、ワイヤレス通信のための別の装置が説明される。一例では、装置は、プロセッサと、プロセッサと電子通信するメモリと、メモリに記憶される命令とを含み、命令は、ユーザ機器（ＵＥ）の第１の加入者識別モジュール（ＳＩＭ）をサポートするために、ワイヤレスワイドエリアネットワーク（ＷＷＡＮ）トランシーバを動作させることと、ＵＥの第２のＳＩＭをサポートするために、ＷＷＡＮトランシーバとワイヤレスローカルエリアネットワーク（ＷＬＡＮ）トランシーバとを選択的に動作させることとを行うようにプロセッサによって実行可能である。メモリに記憶される命令は、第２のＳＩＭをサポートするためにＷＬＡＮトランシーバを動作させることと、第１のＳＩＭが第１ＳＩＭスタンバイモードから第１ＳＩＭアクティブモードへと切り替えられたことを検出することと、第２のＳＩＭをサポートするためにＷＷＡＮトランシーバを動作させることから、第２のＳＩＭをサポートするためにＷＬＡＮトランシーバを動作させることへと移行することとを行うようにプロセッサによって実行可能な命令をさらに含む。
【００１６】
[0016]  実例となる例の第４のセットにおいて、ワイヤレス通信のためのコンピュータ実行可能なコードを記憶する非一時的コンピュータ可読媒体が説明される。一例では、コードは、ユーザ機器（ＵＥ）の第１の加入者識別モジュール（ＳＩＭ）をサポートするために、ワイヤレスワイドエリアネットワーク（ＷＷＡＮ）トランシーバを動作させることと、ＵＥの第２のＳＩＭをサポートするために、ＷＷＡＮトランシーバとワイヤレスローカルエリアネットワーク（ＷＬＡＮ）トランシーバとを選択的に動作させることとを行うようにプロセッサによって実行可能であり得る。非一時的なコンピュータ可読媒体のいくつかの例では、コードはまた、第１のＳＩＭが第１ＳＩＭスタンバイモードから第１ＳＩＭアクティブモードへと切り替えられたことを検出することと、第２のＳＩＭをサポートするためにＷＷＡＮトランシーバを動作させることから、第２のＳＩＭをサポートするためにＷＬＡＮトランシーバを動作させることへと移行することとを行うようにプロセッサによって実行可能であり得る。
【００１７】
[0017]  前述のものは、以下の詳細な説明がより良く理解され得るように、本開示による例の特徴および技術的利点をやや広く概説している。追加の特徴および利点が以下に説明されるだろう。開示される概念および具体的な例は、本開示と同じ目的を実行するために、他の構造を修正または設計するための基礎として容易に利用され得る。このような等価な構成物は、添付の特許請求の範囲から逸脱しない。本明細書に開示される概念の特性は、関連する利点とともに、それらの構成および動作の方法の両方が、添付の図に関連して検討されるとき、以下の説明からよりよく理解されるだろう。これら図の各々は、例示および説明の目的のためだけに提供され、特許請求の範囲の限定の定義として提供されるものではない。
【図面の簡単な説明】
【００１８】
[0018]  本発明の本質および利点のさらなる理解は、以下の図面を参照することによって実現され得る。添付の図面では、類似するコンポーネントまたは特徴は、同じ参照ラベルを有し得る。さらに、同じタイプの様々なコンポーネントは、ダッシュと、類似するコンポーネント同士を区別する第２のラベルとを、参照ラベルの後に続けることによって区別され得る。本明細書において第１の参照ラベルのみが使用される場合、その説明は、第２の参照ラベルに関係なく同じ第１の参照ラベルを有する類似するコンポーネントのうちのいずれか１つに適用可能である。
【図１】図１は、本開示の様々な態様による、ワイヤレス通信システムのブロック図を示す。
【図２Ａ】図２Ａは、本開示の様々な態様による、ワイヤレス通信システムの例を示すシステム図を図示する。
【図２Ｂ】図２Ｂは、本開示の様々な態様による、ワイヤレス通信で使用するためのシステムを示す。
【図３Ａ】図３Ａは、本開示の様々な態様による、ワイヤレス通信のための第１のリソースマッピングを使用する、マルチプルＳＩＭ ＵＥの動作のための第１の例となるタイミング図を図示する。
【図３Ｂ】図３Ｂは、本開示の様々な態様による、ワイヤレス通信のための第１のリソースマッピングを使用する、マルチプルＳＩＭ ＵＥの動作のための第２の例となるタイミング図を図示する。
【図３Ｃ】図３Ｃは、本開示の様々な態様による、ワイヤレス通信のための第１のリソースマッピングを使用する、マルチプルＳＩＭ ＵＥの動作のための第３の例となるタイミング図を図示する。
【図３Ｄ】図３Ｄは、本開示の様々な態様による、ワイヤレス通信のための第１のリソースマッピングを使用する、マルチプルＳＩＭ ＵＥの動作のための第４の例となるタイミング図を図示する。
【図４Ａ】図４Ａは、本開示の様々な態様による、ワイヤレス通信のための第１のリソースマッピングのバリエーションを使用する、マルチプルＳＩＭ ＵＥの動作のための第１の例となるタイミング図を図示する。
【図４Ｂ】図４Ｂは、本開示の様々な態様による、ワイヤレス通信のための第１のリソースマッピングのバリエーションを使用する、マルチプルＳＩＭ ＵＥの動作のための第２の例となるタイミング図を図示する。
【図４Ｃ】図４Ｃは、本開示の様々な態様による、ワイヤレス通信のための第１のリソースマッピングのバリエーションを使用する、マルチプルＳＩＭ ＵＥの動作のための第３の例となるタイミング図を図示する。
【図４Ｄ】図４Ｄは、本開示の様々な態様による、ワイヤレス通信のための第１のリソースマッピングのバリエーションを使用する、マルチプルＳＩＭ ＵＥの動作のための第４の例となるタイミング図を図示する。
【図５】図５は、本開示の様々な態様による、マルチプルＳＩＭ ＵＥとネットワークノードとの間の第１の例となるメッセージフローを示す。
【図６Ａ】図６Ａは、本開示の様々な態様による、ワイヤレス通信のための第２のリソースマッピングを使用する、マルチプルＳＩＭ ＵＥの動作のための第１の例となるタイミング図を図示する。
【図６Ｂ】図６Ｂは、本開示の様々な態様による、ワイヤレス通信のための第２のリソースマッピングを使用する、マルチプルＳＩＭ ＵＥの動作のための第２の例となるタイミング図を図示する。
【図６Ｃ】図６Ｃは、本開示の様々な態様による、ワイヤレス通信のための第２のリソースマッピングを使用する、マルチプルＳＩＭ ＵＥの動作のための第３の例となるタイミング図を図示する。
【図６Ｄ】図６Ｄは、本開示の様々な態様による、ワイヤレス通信のための第２のリソースマッピングを使用する、マルチプルＳＩＭ ＵＥの動作のための第４の例となるタイミング図を図示する。
【図７】図７は、本開示の様々な態様による、マルチプルＳＩＭ ＵＥとネットワークノードとの間の第２の例となるメッセージフローを示す。
【図８Ａ】図８Ａは、本開示の様々な態様による、ワイヤレス通信のための第３のリソースマッピングを使用する、マルチプルＳＩＭ ＵＥの動作のための第１の例となるタイミング図を図示する。
【図８Ｂ】図８Ｂは、本開示の様々な態様による、ワイヤレス通信のための第３のリソースマッピングを使用する、マルチプルＳＩＭ ＵＥの動作のための第２の例となるタイミング図を図示する。
【図８Ｃ】図８Ｃは、本開示の様々な態様による、ワイヤレス通信のための第３のリソースマッピングを使用する、マルチプルＳＩＭ ＵＥの動作のための第３の例となるタイミング図を図示する。
【図８Ｄ】図８Ｄは、本開示の様々な態様による、ワイヤレス通信のための第３のリソースマッピングを使用する、マルチプルＳＩＭ ＵＥの動作のための第４の例となるタイミング図を図示する。
【図９】図９は、本開示の様々な態様による、マルチプルＳＩＭ ＵＥとネットワークノードとの間の第３の例となるメッセージフローを示す。
【図１０Ａ】図１０Ａは、本開示の様々な態様による、ワイヤレス通信で使用するためのデバイスのブロック図を示す。
【図１０Ｂ】図１０Ｂは、本開示の様々な態様による、ワイヤレス通信で使用するためのデバイスのブロック図を示す。
【図１１】図１１は、本開示の様々な態様による、ワイヤレス通信で使用するためのシステムを示す。
【図１２】図１２は、本開示の様々な態様による、ワイヤレス通信のための方法の第１の例を図示するフローチャートである。
【図１３】本開示の様々な態様による、ワイヤレス通信のための方法の第２の例を図示するフローチャートである。
【詳細な説明】
【００１９】
[0046]  マルチプルＳＩＭをサポートするＵＥについて、第１のＳＩＭと第２のＳＩＭとの両方が同時にアクティブである、ＤＳＤＡを含むＭＳＭＡシナリオにおいて動作することが望ましいだろう。ＵＥは、少なくとも１つのＷＷＡＮ無線機と１つのＷＬＡＮ無線機とを含む、マルチプルなＲＡＴを含み得る。ＷＷＡＮ無線機およびＷＬＡＮ無線機は、はじめは（例えば、ＷＷＡＮ無線機に関しては２Ｇ、３Ｇ、または４Ｇワイヤレス技術など、ＷＬＡＮ無線機に関してはＷｉ−Ｆｉ、Ｂｌｕｅｔｏｏｔｈ、またはＺｉｇｂｅｅ（登録商標）など）ＵＥの個別の通信ニーズのために設計されたかもしれないが、技術の進歩やより高いデータレートに対する需要とともに、ＷＷＡＮおよびＷＬＡＮ無線機の使用は、オーバーラップし始めている。ＷＷＡＮ無線機およびＷＬＡＮ無線機を有するマルチプルＳＩＭをサポートするＵＥでは、第１のＳＩＭが、ＷＷＡＮ無線機およびそのリソースによってサポートされ得、一方、第２のＳＩＭも同様にサポートするために利用可能な第２のＷＷＡＮが存在しないときに、ＷＬＡＮトランシーバがＷＷＡＮモデムをサポートするために使用され得る。ＷＬＡＮ無線機は、（例えば、ＧＳＭのみをサポートする）ＷＬＡＮトランシーバ能力のサブセットをサポートするために使用され得る。ＷＬＡＮトランシーバはまた、単一ＳＩＭ同時ＧＳＭロングタームエボリューション（ＬＴＥ（登録商標））（ＳＧＬＴＥ：single-SIM simultaneous GSM（登録商標） Long-Term Evolution）またはＳ１ｘＬＴＥ（例えば、アイドルなＲＡＴ動作におけるページモニタリング）のためのような動作シナリオとは異なる、ＷＬＡＮトランシーバを使用するマルチプルＳＩＭマルチプルアクティブ（例えば、ＤＳＤＡ）シナリオ、またはＷＬＡＮトランシーバを使用するマルチプルＲＡＴデュアルアクティブ（ＭＲＤＡ：multiple-RAT dual-active）シナリオにおいて、ＷＷＡＮモデムをサポートし得る。
【００２０】
[0047]  異なるリソースマッピングシナリオは、本開示の様々な態様に従って使用され得る。例えば、第１のリソースマッピングシナリオでは、ＷＬＡＮトランシーバは、ＳＩＭ１とＳＩＭ２との両方がアクティブモードで動作している（そうでなければ、ＳＩＭ２動作がＷＷＡＮリソースを使用している）ときのみに、ＷＷＡＮ ＳＩＭ２動作をサポートするために使用される。第２の例示的なリソースマッピングシナリオでは、ＷＬＡＮトランシーバは、ＳＩＭ２がアクティブモードまたはスタンバイモードのいずれかであるときを含む、ＷＷＡＮ ＳＩＭ２動作をサポートするために使用される。この第２のシナリオでは、ＷＬＡＮトランシーバは、Ｔｘ、Ｒｘ、またはＴｘとＲｘとの両方のうちの１つについてアクティブモードで動作しているときに、ＳＩＭ２動作をサポートするために使用される。第３の例示的なリソースマッピングシナリオでは、ＷＬＡＮトランシーバは、ＳＩＭ１がアクティブモードであるかどうかに関係なく、ＳＩＭ２がアクティブモードであるときに、ＷＷＡＮ ＳＩＭ２動作をサポートするために使用される。この第３のシナリオでは、ＷＷＡＮリソースは、スタンバイモードにあるときに、ＳＩＭ２動作をサポートするために使用される。
【００２１】
[0048]  以下の説明は例を提供するものであり、特許請求の範囲に記載される範囲、適用可能性、または例を限定するものではない。本開示の範囲から逸脱することなく、論じられる要素の機能および配置において変更がなされ得る。様々な例は、必要に応じて、様々なプロシージャまたはコンポーネントを省略、代用、または追加し得る。例えば、説明される方法は、説明されるものとは異なる順序で行われ得、様々なステップが追加、省略、または組み合わせされ得る。また、いくつかの例に関して説明される特徴は、他の例に組み合され得る。
【００２２】
[0049]  はじめに図１を参照すると、システム図は、ワイヤレス通信システム１００の例を図示する。ワイヤレス通信システム１００は、基地局１０５、ＡＰ１１０、およびＵＥ １１５のようなモバイルデバイスを含み得る。ＡＰ１１０は、例えば、規格のうちのＩＥＥＥ ８０２．１１ファミリのうちの少なくとも１つを実装するネットワークのようなＷＬＡＮ無線アクセスネットワーク（ＲＡＮ）を介して、ワイヤレス通信を提供し得る。ＡＰ１１０は、例えば、ＷＬＡＮまたは他の短距離（例えば、ＢｌｕｅｔｏｏｔｈおよびＺｉｇｂｅｅ）通信アクセスをＵＥ１１５に提供し得る。各ＡＰ１１０は、通常、エリア内のＵＥ１１５がＡＰ１１０と通信することができるような、地理的カバレッジエリア１２２を有し得る。ＵＥ１１５は、異なる無線アクセスネットワークを介してＡＰ１１０および基地局１０５と通信する多元接続モバイルデバイスであり得る。モバイル局、パーソナルデジタルアシスタント（ＰＤＡ）、他のハンドヘルドデバイス、ネットブック、ノートブックコンピュータ、タブレットコンピュータ、ラップトップ、ディスプレイデバイス（例えば、ＴＶ、コンピュータモニタなど）、プリンタなどのようなＵＥ１１５は、固定またはモバイルであり得、地理的カバレッジエリア１２２および／または１２０、基地局１０５の地理的カバレッジエリアを行き来し得る。１つのＡＰ１１０のみが図示されているが、ワイヤレス通信システム１００は、マルチプルなＡＰ１１０を含み得る。ＵＥ１１５のいくつかまたは全ては、通信リンク１３５を介してＡＰ１１０と、および／または通信リンク１２５を介して基地局１０５と関連しかつ通信し得る。
【００２３】
[0050]  ワイヤレス通信システム１００はまた、コアネットワーク１３０も含み得る。コアネットワーク１３０は、ユーザ認証、アクセス承認、トラッキング、インターネットプロトコル（ＩＰ）接続性、および他のアクセス、ルーティング、またはモビリティ機能を提供し得る。基地局１０５は、バックホールリンク１３２（例えば、Ｓ１など）を通じてコアネットワーク１３０とインターフェースをとり、ＵＥ１１５との通信のためのスケジューリングおよび無線構成を行い得るか、または基地局コントローラ（図示されない）の制御下で動作し得る。様々な例では、基地局１０５は、直接的にまたは間接的に（例えば、コアネットワーク１３０を通じて）、バックホールリンク１３４（例えば、Ｘ１など）を通じて互いと通信し得、それは、ワイヤードまたはワイヤレス通信リンクであり得る。
【００２４】
[0051]  ＵＥ１１５は、１つ以上のＡＰ１１０および／または基地局１０５によってカバーされ得、従って、異なる時間においてマルチプルなＡＰ１１０または基地局１０５と関連し得る。例えば、単一のＡＰ１１０と関連付けられるＵＥ１１５のセットとは、基本サービスセット（ＢＳＳ）と呼ばれ得る。拡張サービスセット（ＥＳＳ：extended service set）は、接続されたＢＳＳのセットである。配信システム（ＤＳ：distribution system）（図示されない）は、拡張サービスセットにＡＰ１１０を接続するために使用される。ＡＰ１１０に対する地理的カバレッジエリア１２２は、地理的カバレッジエリア（図示されない）の一部分のみを構成するセクタに分割され得る。ワイヤレス通信システム１００は、異なるタイプ（例えば、メトロポリタンエリア、ホームネットワークなど）のＡＰ１１０を、カバレッジエリアのサイズとは異なった状態で、および異なる技術のためのカバレッジエリアとオーバーラップした状態で含み得る。図示されないが、他のワイヤレスデバイスは、ＡＰ１１０と通信し得る。
【００２５】
[0052]  基地局１０５は、基地局アンテナを介してＵＥ１１５とワイヤレスに通信し得る。基地局１０５のサイトの各々は、それぞれの地理的カバレッジエリア１２０に対する通信カバレッジを提供し得る。いくつかの例では、基地局１０５は、基地トランシーバ局、無線基地局、ＡＰ、無線トランシーバ、ノードＢ、ｅノードＢ（ｅＮＢ）、ホームノードＢ、ホームｅノードＢ、または何らかの他の適切な用語で呼ばれ得る。基地局１０５に対する地理的カバレッジエリア１２０は、カバレッジエリアの一部分のみを構成するセクタ（図示されない）に分割され得る。ワイヤレス通信システム１００は、異なるタイプの基地局１０５（例えば、マクロおよび／またはスモールセル基地局）を含み得る。異なる技術についてオーバーラップしている地理的カバレッジエリア１２０／１２２が存在し得る。
【００２６】
[0053]  いくつかの例では、ワイヤレス通信システム１００は、ＬＴＥ／ＬＴＥ−アドバンスト（ＬＴＥ−Ａ）ネットワークの一部分を含む。ＬＴＥ／ＬＴＥ−Ａネットワークでは、発展型ノードＢ（ｅＮＢ）という用語は一般に、基地局１０５を説明するために使用され得、一方、ＵＥという用語は一般に、ＵＥ１１５を説明するために使用され得る。ワイヤレス通信システム１００は、異なるタイプのｅＮＢが様々な地理的領域に対するカバレッジを提供する異種ＬＴＥ／ＬＴＥ−Ａネットワークであり得る。例えば、各ｅＮＢまたは基地局１０５は、マクロセル、スモールセル、および／または他のタイプのセルに対して通信カバレッジを提供し得る。「セル」という用語は、コンテキストによって、基地局、基地局に関連付けられるキャリアまたはコンポーネントキャリア、あるいはキャリアまたは基地局のカバレッジエリア（例えば、セクタなど）を説明するために使用され得る３ＧＰＰ（登録商標）の用語である。
【００２７】
[0054]  マクロセルは一般に、比較的大きい地理的エリア（例えば、半径数キロメートル）をカバーし、ネットワークプロバイダにサービス加入しているＵＥによる無制限アクセスを可能にし得る。スモールセルは、マクロセルと比較すると、マクロセルと同じかまたは異なる（例えば、認可されている、認可されていないなどの）周波数帯域中で動作し得る、より低電力の基地局である。スモールセルは、様々な例に従って、ピコセル、フェムトセル、およびマイクロセルを含み得る。ピコセルは、比較的より小さい地理的エリアをカバーし、ネットワークプロバイダにサービス加入しているＵＥによる無制限のアクセスを可能にし得る。フェムトセルもまた、比較的小さい地理的エリア（例えば、家）をカバーし得、フェムトセルとの関連付けを有するＵＥ（例えば、クローズド加入者グループ（ＣＳＧ）内のＵＥ、家の中にいるユーザのためのＵＥなど）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つのまたはマルチプルな（例えば、２つ、３つ、４つなどの）セル（例えば、コンポーネントキャリア）をサポートし得る。
【００２８】
[0055]  ワイヤレス通信システム１００は、同期または非同期動作をサポートし得る。同期動作について、基地局は、類似するフレームタイミングを有し得、異なる基地局からの送信は時間的におおまかにアラインされ得る。非同期動作について、基地局は、異なるフレームタイミングを有し得、異なる基地局からの送信は、時間でアラインされない可能性がある。本明細書で説明される技法は、同期または非同期動作のいずれかのために使用され得る。
【００２９】
[0056]  様々な開示される例のいくつかに適応し得る通信ネットワークは、レイヤードプロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネルを通じて通信するためにパケットセグメンテーションおよびリアセンブリを行い得る。メディアアクセス制御（ＭＡＣ）レイヤは、優先処理およびトランスポートチャネルへの論理チャネルの多重化を行い得る。ＭＡＣレイヤはまた、リンク効率を改善するために、ＭＡＣレイヤにおいて再送信を提供するハイブリッドＡＲＱ（ＨＡＲＱ）を使用し得る。制御プレーンでは、無線リソース制御（ＲＲＣ）プロトコルレイヤは、ユーザプレーンデータのための無線ベアラをサポートするコアネットワーク１３０または基地局１０５とＵＥ１１５との間のＲＲＣ接続の確立、構成、および維持を提供し得る。物理（ＰＨＹ）レイヤにおいて、トランスポートチャネルは、物理チャネルにマッピングされ得る。
【００３０】
[0057]  ＵＥ１１５は、ワイヤレス通信システム１００全体にわたって分布し、各ＵＥ１１５は、固定またはモバイルであり得る。ＵＥ１１５はまた、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な専門用語を含み得るか、あるいは、当業者によってそのように呼ばれ得る。ＵＥ１１５は、セルラフォン、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、スモールセルｅＮＢ、リレー基地局などを含む様々なタイプの基地局およびネットワーク機器と通信することが可能であり得る。
【００３１】
[0058]  ワイヤレス通信システム１００中に示される通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信とも呼ばれ、一方、アップリンク送信は逆方向リンク送信とも呼ばれ得る。各通信リンク１２５は、１つまたは複数のキャリアを含み得、ここで、各キャリアは、上述された様々な無線技術に従って変調されるマルチプルなサブキャリア（例えば、異なる周波数の波形信号）で構成される信号であり得る。変調された各信号は、異なるサブキャリア上で送られ得、制御情報（例えば、基準信号、制御チャネルなど）、オーバヘッド情報、ユーザデータなどを搬送し得る。通信リンク１２５は、ＦＤＤ動作を使用して（例えば、対にされたスペクトルリソースを使用して）またはＴＤＤ動作を使用して（例えば、対にされていないスペクトルリソースを使用して）双方向通信を送信し得る。ＦＤＤについてのフレーム構造（例えば、フレーム構造タイプ１）およびＴＤＤについてのフレーム構造（例えば、フレーム構造タイプ２）が定義され得る。同様に、ワイヤレス通信システム１００内に示される通信リンク１３５もまた、ＵＥ １１５からＡＰ １１０へのＵＬ送信、および／またはＡＰ １１０からＵＥ１１５へのＤＬ送信を含み得る。
【００３２】
[0059]  システム１００のいくつかの実施形態では、基地局１０５、ＡＰ１１０、および／またはＵＥ１１５は、基地局１０５、ＡＰ１１０、およびＵＥ１１５間の通信品質および信頼性を改善するために、アンテナダイバーシティスキームを用いるマルチプルなアンテナを含み得る。追加的にまたは代替的に、基地局１０５、ＡＰ １１０および／またはＵＥ１１５は、同じまたは異なるコード化されたデータを搬送するマルチプルな空間レイヤを送信するために、マルチパス環境を活用し得る多入力多出力（ＭＩＭＯ）技法を用い得る。
【００３３】
[0060]  システム１００は、基地局１０５およびＡＰ１１０の両方と通信状態にあるＵＥ１１５−ａを含む。例として、ＵＥ１１５−ａは、Ｗｉ−Ｆｉまたは他のＷＬＡＮ通信を使用してＡＰ１１０と通信し得る一方、ＵＥ１１５−ａは、ＬＴＥ、ＧＳＭ、または他のＷＷＡＮ通信を使用して基地局１０５と通信し得る。それら通信は同時であり得る。例として、ＵＥ１１５−ａは、第１のＳＩＭ（ＳＩＭ１）および第２のＳＩＭ（ＳＩＭ２）を有するＤＳＤＡまたはＭＳＭＡデバイスであり得、ＳＩＭ１についてはＬＴＥ通信を使用する１つの基地局１０５と、ＳＩＭ２についてはＧＳＭ通信を使用する別の基地局１０５と、およびＷｉ−Ｆｉ通信を使用するＡＰ１１０と通信し得る。別の例として、ＵＥ１１５−ａは、ＳＩＭ１についてはＬＴＥ通信を使用する１つの基地局１０５と、ＳＩＭ２についてはＧＳＭ通信を使用する同じ基地局１０５と、およびＷｉ−Ｆｉ通信を使用するＡＰ１１０と通信し得る。
【００３４】
[0061]  ＵＥ１１５−ａは、マルチプルなＷＷＡＮ通信間で共有され得る単一のＷＷＡＮ ＲｘおよびＴｘチェーンを含み得る。例えば、（ＬＴＥ通信のような）第１のＷＷＡＮ通信は、第１の時間期間中にＷＷＡＮ Ｒｘチェーンを利用し得、（ＧＳＭ通信のような）第２のＷＷＡＮ通信は、第２の時間期間中にＷＷＡＮ Ｒｘを利用し得る。ＳＩＭ１によって促進されるＷＷＡＮ通信がＷＷＡＮ ＲｘまたはＴｘチェーンを利用しているとき、ＷＷＡＮ ＲｘまたはＴｘチェーンは、ＳＩＭ２によって促進される異なるＷＷＡＮ通信のために利用できない可能性がある。従って、マルチプルなＷＷＡＮ通信が発生している間、ＵＥ１１５−ａは、ＷＷＡＮ通信の１つに対する処理の一部分をＷＷＡＮモジュールからＷＬＡＮモジュールにオフロードするために、ＵＥ内のＷＬＡＮモジュールの一部分を利用し得る。この方法では、単一のＷＷＡＮ ＲｘまたはＴｘチェーンの利用可能性が増大し得る。しかしながら、ＵＥ１１５−ａ内のＷＬＡＮモジュールもまた、Ｗｉ−Ｆｉ、Ｂｌｕｅｔｏｏｔｈ、または他のＷＬＡＮ通信を使用してＡＰ１１０と通信状態にあることが多い。ＷＷＡＮ通信をオフロードするためにＵＥ１１５−ａ内のＷＬＡＮモジュールを過度に使用することは、ＵＥの性能を低下させ得る。例えば、ＳＩＭ２に関するＧＳＭ音声呼をサポートするためのＷＬＡＮモジュールの専属的使用は、ＷＬＡＮモジュールが共有されている間のＷＬＡＮ通信中、質の悪い（poor）ＧＳＭ音声呼品質をもたらし得、Ｗｉ−ＦｉについてのＷＬＡＮスループットは、ＧＳＭ音声呼によって悪影響を受け得る。ＷＷＡＮモジュールがＳＩＭ２に関するＧＳＭ音声呼をサポートするために利用可能である場合、次にＧＳＭ音声呼は、そのリソースが利用可能となるときに、ＷＷＡＮモジュールへと切り替えられ得、従って、そのＷＬＡＮモジュールは、ＷＬＡＮ通信をサポートするためにさらに利用可能である。ＷＷＡＮおよびＷＬＡＮ ＲｘおよびＴｘチェーンはまた、別個に扱われ得、従って、例えば、ＷＷＡＮモジュールのＲｘチェーンとＷＬＡＮモジュールのＴｘチェーンとがＳＩＭ２に関するＧＳＭ音声呼をサポートし得る。従って、ＲｘおよびＴｘチェーンの別個の取り扱いを含むリソースマッピングは、ＷＷＡＮモジュールを支援してＷＬＡＮモジュールを機会主義的（opportunistically）に使用し得る。
【００３５】
[0062]  図２Ａは、ワイヤレス通信システム２００−ａの例を示すシステム図を図示する。ワイヤレス通信システム２００−ａは、基地局１０５−ａ−１、１０５−ａ−２、ＡＰ１１０−ａ、およびＵＥ１１５−ｂを含み得る。ＵＥ１１５−ｂは、図１のシステム１００におけるＵＥ１１５−ａの例であり得、ＷＷＡＮおよびＷＬＡＮ通信の両方に関与し（engaged）得る。基地局１０５−ａ−１、１０５−ａ−２は、図１のシステム１００に含まれる基地局１０５の例であり得、ＡＰ１１０−ａは、図１のシステム１００におけるＡＰ１１０の例であり得る。
【００３６】
[0063]  システム２００−ａでは、ＵＥ１１５−ｂは、ＷＷＡＮアンテナ２０５−ａおよびＷＬＡＮアンテナ２１０−ａの、少なくとも２つの異なるアンテナのセットを含み得る。例えば、ＷＷＡＮアンテナ２０５−ａは、ＷＷＡＮモジュールに関連付けられるＷＷＡＮアンテナであり得る。ＷＷＡＮアンテナ２０５−ａを使用して、ＵＥ１１５−ｂは、通信リンク１２５を介して、基地局１０５−ａ−１および基地局１０５−ａ−２とのＷＷＡＮ通信に関与し得る。ＷＷＡＮアンテナ２０５−ａおよび関連付けられるＷＷＡＮモジュールは、ＷＷＡＮ通信中に使用されるＲｘおよびＴｘチェーンの両方を含み得る。ＷＷＡＮアンテナ２０５−ａは、基地局１０５−ａ−１および／または基地局１０５−ａ−２とのＷＷＡＮ通信のための１つまたは複数のダイバーシティＷＷＡＮアンテナを含み得、ここで、各ＷＷＡＮ通信は、異なるＳＩＭをサポートする。１つまたは複数のダイバーシティＷＷＡＮアンテナ２０５−ａはまた、基地局１０５−ａ−１および／または基地局１０５−ａ−２とのＷＷＡＮ通信のためにも使用され得、ここで、ＷＷＡＮ通信は、キャリアアグリゲーション（ＣＡ）またはマルチキャリアモードで１つのＳＩＭをサポートする。
【００３７】
[0064]  システム２００−ａでは、ＵＥ１１５−ｂは、（通信リンク１３５を介して）ＡＰ１１０−ａと通信するために、ＷＬＡＮアンテナ２１０−ａを使用し得る。ＡＰ１１０−ａとの通信は、Ｗｉ−Ｆｉまたは他のＷＬＡＮ通信であり得る。下記でより詳細に説明されるように、ＷＷＡＮ通信およびＷＬＡＮ通信の両方は、ＷＬＡＮアンテナ２１０−ａに関連付けられるＷＬＡＮモジュールのＴｘおよびＲｘチェーンの一部分を共有し得る。例えば、基地局１０５−ａ−１からのＷＷＡＮ通信がＷＷＡＮアンテナ２０５によって受信され得る間、そのＷＷＡＮ通信は、ＷＷＡＮ Ｒｘチェーンが基地局１０５−ａ−２からの異なるＷＷＡＮ通信を処理している間に、ＷＬＡＮ Ｒｘチェーンの一部分によって処理され得る。同様に、ＷＷＡＮ通信は、ＷＷＡＮアンテナ２０５−ａを使用して基地局１０５−ａ−２に送信され得る異なるＷＷＡＮ通信をＷＷＡＮ Ｔｘチェーンが処理している間に、ＷＷＡＮアンテナ２０５−ａを使用して基地局１０５−ａ−１に送信され得るＷＬＡＮ Ｔｘチェーンの一部分によって処理され得る。ＷＷＡＮ通信の各々は、ＵＥ１１５−ｂに含まれる異なるＳＩＭをサポートし得る。
【００３８】
[0065]  図２Ｂは、本開示の様々な態様による、ワイヤレス通信で使用するためのシステム２００−ｂを示す。ＵＥ１１５−ｂ−１は、ＷＷＡＮモジュール２６０−ａおよびＷＬＡＮモジュール２６５−ａを含み得る。ＷＷＡＮモジュール２６０−ａは、ＷＷＡＮを通じた通信を促進し得る。ＷＷＡＮモジュール２０６−ａは、第１の周波数帯域幅Ｆ１または第１のＲＡＴ内の通信をサポートし得る。ＷＬＡＮモジュール２６５−ａは、ＷＬＡＮを通じた通信を促進し得る。ＷＬＡＮモジュール２６５−ａは、第２の周波数帯域幅Ｆ２または第２のＲＡＴ内の通信をサポートし得る。いくつかの例では、第１の周波数帯域幅Ｆ１および第２の周波数帯域幅Ｆ２は、隣接する帯域幅であり得る。これらの例では、ＵＥ１１５−ｂ−１は、ＷＬＡＮモジュール２６５−ａのコンポーネントを使用してＷＷＡＮ通信を送り得るおよび／または受信し得る。
【００３９】
[0066]  図３Ａは、本開示の様々な態様による、ワイヤレス通信のための第１のリソースマッピングに従って動作する、マルチプルＳＩＭ ＵＥ１１５の動作のための第１の例となるタイミング図３００−ａを図示する。ＵＥ１１５は、ＳＩＭ１およびＳＩＭ２の少なくとも２つのＳＩＭをサポートする、図１および／または図２のＵＥ１１５の例であり得る。ＳＩＭ１は、第１のネットワーク（例えば、第１の基地局１０５−ａ−１）を通じて通信するための第１のサブスクリプションに関連付けられ得、ＳＩＭ２は、第２のネットワーク（例えば、第２の基地局１０５−ａ−２）を通じて通信するための第２のサブスクリプションであり得る。例として、第１のサブスクリプションは、音声またはデータＬＴＥ／ＬＴＥ−Ａ、広帯域符号分割多元接続（ＷＣＤＭＡ（登録商標））、時分割同期符号分割多元接続（ＴＤ−ＳＣＤＭＡ）、１ｘエボリューションデータオンリー（１ｘＥＶ−ＤＯ）、ＧＳＭ、またはＷｉ−Ｆｉサブスクリプションであり得、第２のサブスクリプションは、ＧＳＭ音声サブスクリプションであり得、逆もまた同様である。第１および第２のサブスクリプションは、同じまたは異なるプロバイダを用い得る。ＳＩＭ１およびＳＩＭ２の各々は、特定の時間において、アクティブモードで動作しているか、またはスタンバイモードで動作しているか、あるいは、そのどちらでもない可能性がある。
【００４０】
[0067]  第１のリソースマッピングによると、ＷＷＡＮトランシーバは、ＳＩＭ２の動作モードに関係なく、ＳＩＭ１がそのスタンバイモードまたはアクティブモードのいずれかで動作しているとき、ＳＩＭ１をサポートするために動作し得る。ＳＩＭ２について、ＷＷＡＮトランシーバは、ＳＩＭ１がスタンバイモードにあるか、またはアクティブモードにあるかに関係なく、ＳＩＭ２がそのスタンバイモードで動作しているとき、ＳＩＭ２をサポートするために動作し得る。ＷＷＡＮトランシーバはまた、ＳＩＭ２がそのアクティブモードで動作しているとき、ＳＩＭ１がスタンバイモードで動作している場合に、ＳＩＭ２をサポートするために動作し得る。しかしながら、ＳＩＭ１がそのアクティブモードで動作している場合、ＷＷＡＮトランシーバのＴｘチェーンは、ＳＩＭ２がそのアクティブモードにある間にＳＩＭ２に関する送信をサポートするために動作し得るが、（ＷＷＡＮトランシーバではなく）ＷＬＡＮトランシーバのＲｘチェーンは、ＳＩＭ２に関する受信をサポートするために動作し得る。これは、様々な理由のために望ましい。例えば、ＷＷＡＮトランシーバは、ＳＩＭ１およびＳＩＭ２のＴｘ動作を同時にサポートする能力を有し得るが、１つのＲｘ動作のみが可能であり得る。別の例では、ＷＷＡＮトランシーバによるＳＩＭ１およびＳＩＭ２の同時Ｒｘ動作は、相互結合などに起因して、望ましくない性能低下を引き起こし得る。
【００４１】
[0068]  図３Ａに戻ると、時間期間３５０−ａ中、ＳＩＭ１がスタンバイモード３１０においてＵＥ１１５のＷＷＡＮトランシーバのリソースを使用して動作するように、タイミング軸３２０は、時間（時間期間３５０−ａが時間期間３５５−ａに先行し、それらは、順に、時間期間３６０−ａなどに先行する）にわたるＷＷＡＮトランシーバに関するＳＩＭ１についてのモード状態を表す。タイミング軸３３０は、同じ時間期間にわたる、ＷＷＡＮトランシーバに関するＳＩＭ２についてのモード状態を表し、タイミング軸３４０は、同様に同じ時間期間にわたる、ＷＬＡＮトランシーバに関するＳＩＭ２についてのモード状態を表す。図３Ａは、時間期間３５０−ａ中、ＳＩＭ２もまたスタンバイモード３１０でＵＥ１１５のＷＷＡＮトランシーバのリソースを使用して動作しており、かつＷＬＡＮトランシーバのリソースを使用していないことを図示する。
【００４２】
[0069]  時間期間３５５−ａから始まって、ＳＩＭ２は、アクティブモード３１５で動作している。ＳＩＭ２がＧＳＭ音声サブスクリプションに関連付けられる特定の例では、アクティブモード３１５にあるＳＩＭ２は、ＧＳＭ音声呼がＳＩＭ２に対して開始されており、現在アクティブであることを表し得る。時間期間３５５−ａ中、ＳＩＭ１は、ＷＷＡＮトランシーバによってサポートされるスタンバイモードにあり、従って、ＳＩＭ２についてのアクティブモードは、ＷＷＡＮトランシーバによってサポートされ得、未だＷＬＡＮトランシーバのリソースを使用していない。
【００４３】
[0070]  時間期間３６０−ａから始まって、ＳＩＭ２がアクティブモードにあることに加えて、ＳＩＭ１もまた、今やアクティブモード３１５にある。ＳＩＭ１が音声またはデータＬＴＥサブスクリプションに関連付けられる例では、アクティブモード３１５にあるＳＩＭ１は、ＬＴＥ音声呼がＳＩＭ１に対して開始されており、現在アクティブであることを表す。ＳＩＭ１がアクティブモード３１５に入ると、ＷＷＡＮトランシーバは、タイミング軸３３０上のアクティブ（Ｔｘ）３７５として図示される、アクティブモードにあるＳＩＭ２に関する送信をサポートし続けるが、アクティブモードにあるＳＩＭ２に関する受信のためのサポートは、ＷＷＡＮトランシーバからＷＬＡＮトランシーバの受信チェーンに移行され、それは、時間期間３６０−ａ中のタイミング軸３４０上のアクティブ（Ｒｘ）３８０によって図示される。
【００４４】
[0071]  時間期間３６５−ａ中、ＳＩＭ１は、タイミング軸３２０上のスタンバイモード３１０によって図示される、スタンバイモードに戻っている。ＳＩＭ１が音声またはデータＬＴＥサブスクリプションと関連付けられる上記の例では、時間期間３６０−ａ中のアクティブモード３１５から時間期間３６５−ａ中のスタンバイモード３１０に移るＳＩＭ１は、ＬＴＥ音声呼が終了したことを表し得る。ＳＩＭ１がスタンバイモード３１０に入ると、アクティブモードにあるＳＩＭ２に関する受信のためのサポートは、ＷＷＡＮトランシーバに戻され、それは、時間期間３５０−ａ中のタイミング軸３３０上のアクティブモード３１５によって図示され、タイミング軸３４０上に図示されるＳＩＭ２に関するＷＬＡＮトランシーバのサポートは存在しない。
【００４５】
[0072]  時間期間３７０−ａ中、ＳＩＭ２はスタンバイに戻り、そのモードは、タイミング軸３３０上のスタンバイモード３１０によって図示されるように、ＷＷＡＮトランシーバによってサポートされる。ＳＩＭ１もまた、タイミング軸３２０上のスタンバイモード３１０によって図示されるように、時間期間３７０−ａ中、そのスタンバイモードにあるＷＷＡＮトランシーバによってサポートされる。
【００４６】
[0073]  図３Ｂは、本開示の様々な態様による、ワイヤレス通信のための第１のリソースマッピングを使用する、マルチプルＳＩＭ ＵＥ１１５の動作のための第２の例となるタイミング図３００−ｂを図示する。図３Ａは、例えば、ＳＩＭ２はＳＩＭ１が音声呼を開始する前に音声呼が始まったので、ＳＩＭがアクティブモードに入る前にアクティブモードに入るＳＩＭ２を図示した。図３Ｂでは、ＳＩＭ１は、ＷＷＡＮトランシーバによってサポートされるアクティブモードに入り、それは、タイミング軸３２０についての時間期間３５５−ｂ中のアクティブモード３１５によって図示され、一方、ＳＩＭ２は未だ、タイミング軸３３０についての時間期間３５５−ｂ中のスタンバイモード３１０によって図示される、ＷＷＡＮトランシーバによってサポートされるスタンバイモードにある。ここで、ＳＩＭ２が時間期間３６０−ｂから始まるアクティブモードに入るとき、時間期間３６０−ｂ中、それぞれタイミング軸３３０上のアクティブ（Ｔｘ）３７５とタイミング軸３４０上のアクティブ（Ｒｘ）とで示されるように、ＳＩＭ２に関する送信は、その発生からＷＷＡＮトランシーバによってサポートされ、ＳＩＭ２に関する受信はまた、その発生からＷＬＡＮトランシーバによってもサポートされる。
【００４７】
[0074]  この第２の例となるタイミング図では、ＳＩＭ１が時間期間３６５−ｂ中のスタンバイモードに戻った後、ＳＩＭ２は、依然としてアクティブモードのままである。しかしながら、ＳＩＭ２に関する受信のサポートのための責務（responsibility）は、時間期間３６５−ｂ中のＳＩＭ２に関する送信および受信の両方をＷＷＡＮトランシーバがサポートするように、タイミング軸３４０上に図示される時間期間３６０−ｂ中のアクティブ（Ｒｘ）３８０をサポートするＷＬＡＮトランシーバから、時間期間３６５−ｂ中のＷＷＡＮトランシーバへと戻る。ＷＷＡＮトランシーバは、ＳＩＭ２がタイミング軸３３０上に示される時間期間３７０−ｂ中のスタンバイモードに戻ると、そのスタンバイモードにあるＳＩＭ２をサポートし続ける。
【００４８】
[0075]  図３Ｃは、本開示の様々な態様による、ワイヤレス通信のための第１のリソースマッピングを使用する、マルチプルＳＩＭ ＵＥ１１５の動作のための第３の例となるタイミング図３００−ｃを図示する。図３Ｂは、例えば、ＳＩＭ１がＷＷＡＮトランシーバによってサポートされる継続中のＬＴＥ音声呼を終了し、一方、ＳＩＭ２が（送信のための）ＷＷＡＮトランシーバと（受信のための）ＷＬＡＮトランシーバとの両方によってサポートされるＧＳＭ音声呼を継続するので、ＳＩＭ１が既にスタンバイモードに戻った後にスタンバイモードに入るＳＩＭ２を図示した。図３Ｃでは、ＳＩＭ１およびＳＩＭ２の両方が時間期間３６０−ｃ中のアクティブモードにある。ＷＷＡＮトランシーバは、タイミング軸３２０上のアクティブモード３１５によって図示される、ＳＩＭ１に関する送信および受信の両方、およびタイミング軸３３０上のアクティブ（Ｔｘ）３７５によって図示されるＳＩＭ２に関する送信をサポートするために動作しており、一方、ＷＬＡＮトランシーバは、タイミング軸３４０上のアクティブ（Ｒｘ）３８０によって図示される、ＳＩＭ２に関する受信をサポートするために動作している。時間期間３６５−ｃまでに、ＳＩＭ２は、タイミング軸３３０上に示されるようサポートするためにＷＬＡＮトランシーバが動作しているスタンバイモードに戻っており、一方、ＳＩＭ１は、タイミング軸３２０上に示されるアクティブモード３１５で動作し続ける。この第３の例では、ＳＩＭ２はアクティブモードに遷移し、次にスタンバイモードに戻り、ＳＩＭ１は、時間期間３５５−ｃ、時間期間３６０−ｃ、および時間期間３６５−ｃ中の時間内の全てで、アクティブモード３１５にあった。
【００４９】
[0076]  図３Ｄは、本開示の様々な態様による、ワイヤレス通信のための第１のリソースマッピングを使用する、マルチプルＳＩＭ ＵＥ１１５の動作のための第４の例となるタイミング図３００−ｄを図示する。この第４の例では、ＳＩＭ２は、ＳＩＭ１がタイミング軸３２０上に示されるような時間期間３６０−ｄおよび時間期間３６５−ｄ中のアクティブモード３１５に遷移する前に、タイミング軸３３０上に示されるような時間期間３５５−ｄ中のアクティブモード３１５に遷移する。はじめに、時間期間３５５−ｄ中、ＷＷＡＮトランシーバは、ＳＩＭ２のアクティブモード３１５をサポートするために動作する。しかしながら、例えば、リソースマッピングコントローラによって、時間期間３６０−ｄ中、ＳＩＭ１もまたアクティブモードに遷移したことを検出すると、アクティブモードに関する受信のためのサポートは、タイミング軸３４０上のアクティブ（Ｒｘ）３８０によって示されるように、ＷＷＡＮトランシーバからＷＬＡＮトランシーバへと移行される。ＷＷＡＮトランシーバは、タイミング軸３３０上のアクティブ（Ｔｘ）３７５によって示されるように、ＳＩＭ２のアクティブモードに関する送信をサポートするために動作し続ける。ＳＩＭ２についてのアクティブモードが終了すると、ＳＩＭ２は、時間期間３６５−ｄで始まり、ＳＩＭ１もまたタイミング軸３２０上に示されるスタンバイモード３１０に戻る時間期間３７０−ｄ中継続する、ＷＷＡＮトランシーバによってサポートされるタイミング軸３３０上に示されるスタンバイモード３１０に戻る。
【００５０】
[0077]  図３Ａ〜図３Ｄの各々は、アクティブモード３１５にあるＳＩＭ１と、アクティブモードのアクティブ（Ｔｘ）３７５におけるＳＩＭ２に関する送信との両方をサポートするためにＷＷＡＮトランシーバが動作しているとき、時間期間３６０中にアクティブ（Ｒｘ）３８０として図示されるＳＩＭ２に関する受信をサポートするためにＷＬＡＮトランシーバが動作する第１のリソースマッピングを使用する、マルチプルＳＩＭ ＵＥ１１５の動作についてのタイミング図を図示する。他の例によると、ＳＩＭ２に関する送信および受信のためのＷＬＡＮおよびＷＷＡＮトランシーバのサポートは、ＷＷＡＮトランシーバがアクティブモードのアクティブ（Ｔｘ）３１５におけるＳＩＭ１と、アクティブモードのアクティブ（Ｒｘ）３８０におけるＳＩＭ２に関する受信との両方をサポートするために動作し得る時間期間中、ＷＬＡＮトランシーバがＳＩＭ２（アクティブ（Ｔｘ）３７５）に関する送信をサポートするために動作し得るように、切り替えられ得る。
【００５１】
[0078]  図４Ａは、本開示の様々な態様による、ワイヤレス通信のための第１のリソースマッピングのバリエーションを使用する、マルチプルＳＩＭ ＵＥ１１５の動作のための第１の例となるタイミング図４００−ａを図示する。第１のリソースマッピングのこのバリエーションでは、ＷＬＡＮトランシーバは、タイミング軸３２０上の時間期間３６０−ｅ中に示されるアクティブモード３１５にあるＳＩＭ１をサポートするためにＷＷＡＮトランシーバが動作しているとき、タイミング軸３４０上に時間期間３６０−ｅ中のアクティブ（Ｒｘ＋Ｔｘ）４１０として示される、ＳＩＭ２に関する送信および受信の両方をサポートするために動作し得る。ＳＩＭ２は、ＳＩＭ１もまたタイミング軸３２０上に示されるようなスタンバイモード３１０にある、タイミング軸３３０上に示される時間期間３５０−ｅ中のスタンバイモード３１０中、ＷＷＡＮトランシーバによってサポートされる。時間期間３５５−ｅ中、ＳＩＭ２がアクティブになるとき、ＷＷＡＮトランシーバは、タイミング軸３３０上に示されるアクティブモード３１５をサポートする一方、ＷＷＡＮトランシーバは、タイミング軸３２０上に示されるようなＳＩＭ１についてのスタンバイモード３１０をサポートし続ける。ＳＩＭ２がＧＳＭ音声サブスクリプションに関連付けられる特定の例では、アクティブモード３１５にあるＳＩＭ２は、ＧＳＭ音声呼がＳＩＭ２に対して開始されており、現在アクティブであることを表す。
【００５２】
[0079]  時間期間３６０−ｅから始まって、ＳＩＭ２がアクティブモードにあることに加えて、ＳＩＭ１もまた、今やアクティブモード３１５にある。ＳＩＭ１が音声またはデータＬＴＥサブスクリプションに関連付けられる例では、アクティブモード３１５にあるＳＩＭ１は、ＬＴＥ音声呼がＳＩＭ１に対して開始されており、現在アクティブであることを表し得る。ＳＩＭ１がアクティブモード３１５に入ると、ＷＷＡＮトランシーバは、そのアクティブモード３１５にあるＳＩＭ２に関する任意の送信または受信をもはやサポートせず、時間期間３６０−ｅ中のタイミング軸３３０上に図示される。代わりに、アクティブモードにあるＳＩＭ２に関する受信および送信の両方のためのサポートは、ＷＷＡＮトランシーバからＷＬＡＮトランシーバに移行され、それは、時間期間３６０−ｅ中にタイミング軸３４０上のアクティブ（Ｒｘ＋Ｔｘ）４１０によって図示される。
【００５３】
[0080]  ＳＩＭ１がもはやアクティブモードでなくなると、例えば、時間期間３６０−ｅの終わりにＬＴＥ音声呼が終了したときに、ＳＩＭ１は、時間期間３６５−ｅ中にタイミング軸３２０上に示される、ＷＷＡＮトランシーバによってサポートされるスタンバイモード３１０に戻る。リソースマッピングコントローラは、ＳＩＭ１が今やスタンバイモードに戻ったことを検出し得、時間期間３６５−ｅ中にタイミング軸３３０上のアクティブモード３１５として示される、ＳＩＭ２に関する送信および受信の両方のためのサポートをＷＷＡＮトランシーバに移行し得る。ＳＩＭ２がもはやアクティブモードでなくなると、それは、タイミング軸３３０上に示されるような、ＷＷＡＮトランシーバによってサポートされる時間期間３７０−ｅ中のスタンバイモード３１０に戻る。ＳＩＭ２がＧＳＭ音声サブスクリプションに関連付けられ、ＳＩＭ２のアクティブモードがＧＳＭ音声呼を表す特定の例では、ＳＩＭ２に関するＧＳＭ音声呼のためのサポートは、時間期間３５５−ｅ中、ＷＷＡＮトランシーバを用いて始まり、時間期間３６０−ｅ中、サポートのためにＷＬＡＮトランシーバへと移行し、次に、アクティブモードとスタンバイモードとの間のＳＩＭ１のモード状態における変化の検出によってトリガされ、時間期間３６５−ｅ中、サポートのためにＷＬＡＮトランシーバに戻される。
【００５４】
[0081]  図４Ｂは、本開示の様々な態様による、ワイヤレス通信のための第１のリソースマッピングのバリエーションを使用する、マルチプルＳＩＭ ＵＥ１１５の動作のための第２の例となるタイミング図４００−ｂを図示する。図４Ａの例となるタイミング図４００−ａと同様に、図４Ｂのタイミング図４００−ｂは、タイミング軸３４０上の時間期間３６０−ｆ中のアクティブ（Ｒｘ＋Ｔｘ）として示される、ＷＬＡＮトランシーバがＳＩＭ２に関する送信および受信の両方をサポートすることを図示し、一方、ＳＩＭ１は、時間期間３５５−ｆおよび時間期間３６０−ｆ中に示される、ＷＷＡＮトランシーバによってサポートされるアクティブモード３１５にある。ＳＩＭ１が、タイミング軸３２０上に示されるように、時間期間３５５−ｆ中、ＷＷＡＮトランシーバによってサポートされるアクティブモード３１５にあるため、ＳＩＭ２が時間期間３６０−ｆで始まるアクティブモードに入るとき、ＳＩＭ２に関する送信および受信の両方は、タイミング軸３４０上のアクティブ（Ｒｘ＋Ｔｘ）で示されるように、その発生からＷＬＡＮトランシーバによってサポートされる。この第２の例となるタイミング図では、ＳＩＭ１が時間期間３６５−ｆ中のスタンバイモード３１０に戻った後、ＳＩＭ２は、依然としてアクティブモードのままである。しかしながら、ＳＩＭ２に関する送信および受信の両方のサポートに関する責務は、ＷＷＡＮトランシーバが、時間期間３６５−ｆ中、ＳＩＭ２に関する送信および受信の両方をサポートするように、時間期間３６５−ｆ中、ＷＬＡＮトランシーバからＷＷＡＮトランシーバに戻される。ＳＩＭ２が、タイミング軸３３０上にスタンバイモード３１０として示される、時間期間３７０−ｂ中のスタンバイモードに戻ると、ＷＷＡＮトランシーバは、そのスタンバイモードにあるＳＩＭ２をサポートし続ける。
【００５５】
[0082]  図４Ｃは、本開示の様々な態様による、ワイヤレス通信のための第１のリソースマッピングのバリエーションを使用する、マルチプルＳＩＭ ＵＥ１１５の動作のための第３の例となるタイミング図４００−ｃを図示する。図４Ｂは、例えば、ＳＩＭ１がＷＷＡＮトランシーバによってサポートされる継続中のＬＴＥ音声呼を終了し、一方、ＳＩＭ２が（送信のための）ＷＷＡＮトランシーバと（受信のための）ＷＬＡＮトランシーバとの両方によってサポートされるＧＳＭ音声呼を継続するので、ＳＩＭ１が既にスタンバイモードに戻った後にスタンバイモードに入るＳＩＭ２を図示した。図４Ｃでは、ＳＩＭ１およびＳＩＭ２の両方が時間期間３６０−ｇ中のアクティブモードにある。ＷＷＡＮトランシーバは、タイミング軸３２０上のアクティブモード３１５によって図示されるＳＩＭ１に関する送信および受信の両方をサポートするために動作しており、一方、ＷＬＡＮトランシーバは、タイミング軸３４０上のアクティブ（Ｒｘ＋Ｔｘ）４１０によって図示されるＳＩＭ２に関する受信および送信の両方をサポートするために動作している。時間期間３６５−ｇまでに、ＳＩＭ２は、タイミング軸３３０上に示されるようサポートするためにＷＬＡＮトランシーバが動作しているスタンバイモードに戻っており、一方、ＳＩＭ１は、タイミング軸３２０上に示されるアクティブモード３１５で動作し続ける。この第３の例では、ＳＩＭ２はアクティブモードに遷移し、次に、スタンバイモードに戻り、ＳＩＭ１は、時間期間３５５−ｇ、時間期間３６０−ｇ、および時間期間３６５−ｇ中の時間内の全てで、アクティブモード３１５にあり、このようなＷＷＡＮトランシーバは、時間期間３５０−ｇ、時間期間３５５−ｇ、時間期間３６５−ｇ、および時間期間３７０−ｇ中にＳＩＭ２のスタンバイモードをサポートするために動作し、一方、ＷＬＡＮトランシーバは、ＷＷＡＮトランシーバとＷＬＡＮトランシーバとの間でＳＩＭ２のアクティブモードのためのサポートを移行させることなく、時間期間３６０−ｇ中、送信および受信の両方を含むＳＩＭ２のアクティブモードをサポートするために動作した。
【００５６】
[0083]  図４Ｄは、本開示の様々な態様による、ワイヤレス通信のための第１のリソースマッピングのバリエーションを使用する、マルチプルＳＩＭ ＵＥ１１５の動作のための第４の例となるタイミング図４００−ｄを図示する。この第４の例では、ＳＩＭ２は、ＳＩＭ１がタイミング軸３２０上に示されるような時間期間３６０−ｈおよび時間期間３６５−ｈ中のアクティブモード３１５に遷移する前に、タイミング軸３３０上に示されるような時間期間３５５−ｈ中のアクティブモード３１５に遷移する。はじめに、時間期間３５５−ｄ中、ＷＷＡＮトランシーバは、ＳＩＭ２のアクティブモード３１５をサポートするために動作する。しかしながら、時間期間３６０−ｈ中、ＳＩＭ１もまたアクティブモードに遷移したことを検出すると、アクティブモードに関する送信および受信のためのサポートは、タイミング軸３４０上のアクティブ（Ｒｘ＋Ｔｘ）４１０によって示されるように、ＷＷＡＮトランシーバからＷＬＡＮトランシーバへと移行される。ＳＩＭ２についてのアクティブモードが終了すると、ＳＩＭ２は、時間期間３６５−ｈで始まり、ＳＩＭ１もまた時間期間３７０−ｈ中にタイミング軸３２０上に示されるスタンバイモード３１０に戻る時間期間３７０−ｈ中継続する、ＷＷＡＮトランシーバによってサポートされるタイミング軸３３０上に示されるスタンバイモード３１０に戻る。
【００５７】
[0084]  図５は、本開示の様々な態様による、第１のリソースマッピングのバリエーションを使用する、マルチプルＳＩＭ ＵＥとネットワークノードとの間の例となるメッセージフロー５００を示す。ＵＥ１１５−ｃは、図１のシステム１００におけるＵＥ１１５−ａ、または図２Ａおよび２Ｂのシステム２００におけるＵＥ１１５−ｂの例であり得、ＷＷＡＮおよびＷＬＡＮ通信の両方に関与し得る。基地局１０５−ｂは、図１のシステム１００に含まれる基地局１０５の、あるいは、図２Ａおよび２Ｂのシステム２００に含まれる基地局１０５−ａ−１または１０５−ａ−２の例であり得る。ＷＷＡＮモジュール２６０−ｂおよびＷＬＡＮモジュール２６５−ｂは、それぞれ、図２Ｂのシステム２００−ｂに含まれるＷＷＡＮモジュール２６０−ａおよびＷＬＡＮモジュール２６５−ａの例であり得る。
【００５８】
[0085]  はじめに、ＳＩＭ１およびＳＩＭ２の両方は、ＵＥ１１５−ｃのためのトランシーバモジュールのＷＷＡＮモジュール２６０−ｂによってサポートされるスタンバイモードで動作している。ＵＥ１１５−ｃは、ＷＷＡＮモジュール２６０−ｂのリソースを使用して、ＳＩＭ２についてのページング５０５を監視する。ＷＷＡＮモジュール２６０−ｂは次に、ＳＩＭ２に関する音声呼についてのページング５１０を基地局１０５−ｂから受信し、従って、ＵＥ１１５−ｃは次に、ＳＩＭ１が現在アクティブモードで動作しているかどうかを決定する。ＳＩＭが現在アクティブモードで動作していないという決定５１５がなされるため、ＷＷＡＮトランシーバのＷＷＡＮモジュール２６０−ｂは、送信および受信の両方について、ＳＩＭ２に関する音声呼５２０をサポートする。
【００５９】
[0086]  ＳＩＭ２がアクティブモードで動作しており、かつＳＩＭ１がスタンバイモードで動作している音声呼５２０中、ＵＥ１１５−ｃは、ＳＩＭ１のモード状態を監視し続ける。ＳＩＭ１がアクティブモード５２５に遷移したという決定がなされると、ＷＷＡＮモジュール２６０−ｂは、ＷＷＡＮモジュール２６０−ｂとＷＬＡＮモジュール２６５−ｂとの間で交換された１つまたは複数のメッセージ５３０を介して、音声呼のためのサポートをＷＷＡＮモジュール２６０−ｂに移行する。移行された音声呼５３５は次に、ＷＬＡＮモジュール２６５−ｂによってサポートされ、継続する。
【００６０】
[0087]  ＳＩＭ２がＧＳＭ音声サブスクリプションに関連付けられる例では、基地局１０５−ｂは、ＧＳＭ基地局であり得、音声呼についてのページング５１０は、ＧＳＭ音声呼についてのページングであり得、音声呼５２０および移行された音声呼５３５は、ＧＳＭ音声呼であり得る。
【００６１】
[0088]  図６Ａは、本開示の様々な態様による、ワイヤレス通信のための第２のリソースマッピングを使用する、マルチプルＳＩＭ ＵＥ１１５の動作のための第１の例となるタイミング図６００−ａを図示する。第２のリソースマッピングによると、ＷＷＡＮトランシーバは、ＳＩＭ２の動作モードに関係なく、ＳＩＭ１がそのスタンバイモードまたはアクティブモードのいずれかで動作しているとき、ＳＩＭ１をサポートするために動作し得る。ＳＩＭ２について、ＷＬＡＮトランシーバは、ＳＩＭ１がスタンバイモードにあるか、またはアクティブモードにあるかに関係なく、ＳＩＭ２がそのスタンバイモードで動作しているとき、ＳＩＭ２をサポートするために動作し得る。しかしながら、ＷＬＡＮトランシーバのＲｘチェーンは、ＳＩＭ２に関する受信をサポートするために動作し得、ＷＷＡＮトランシーバのＴｘチェーンは、ＳＩＭ２がそのアクティブモードで動作しているとき、ＳＩＭ２に関する送信をサポートするために動作し得る。
【００６２】
[0089]  第２のリソースマッピングのこの第１の例では、はじめに、時間期間６５０−ａ中、ＳＩＭ１およびＳＩＭ２がスタンバイモード６１０で各々動作している。ＷＷＡＮトランシーバは、時間期間６５０−ａ中、タイミング軸６２０上に示されるＳＩＭ１をサポートするために動作しており、ＷＬＡＮトランシーバは、時間期間６５０−ａ中、タイミング軸６４０上に示されるＳＩＭ２をサポートするために動作している。時間期間６５５−ａ中、ＳＩＭ２は今や、タイミング軸６４０上のアクティブ（Ｒｘ）６８０によって示される、ＷＬＡＮトランシーバがＳＩＭ２に関する受信をサポートするために動作するアクティブモードで動作しており、ＷＷＡＮトランシーバは、タイミング軸６３０上のアクティブ（Ｔｘ）６７５によって示される、ＳＩＭ２に関する送信をサポートするために動作する。時間期間６５５−ａ中、ＷＷＡＮトランシーバは、未だスタンバイモード６１０にあるＳＩＭ１をサポートするために動作しているが、次にＳＩＭ１は、時間期間６６０−ａ中のアクティブモード６１５へと遷移する。しかしながら、ＷＷＡＮトランシーバがＳＩＭ２のアクティブ（Ｔｘ）モード６７５をサポートするために動作し、ＷＬＡＮトランシーバが、ＳＩＭ１の現在のモードに関係なく、ＳＩＭ２のスタンバイモード６１０およびアクティブ（Ｒｘ）モード６８０をサポートするために動作するので、サポートは、時間期間６５５−ａと時間期間６６０−ａとの間で、ＷＬＡＮトランシーバとＷＷＡＮトランシーバとの間で移されない。同様に、タイミング軸６２０上に示されるような時間期間６６５−ａで始まるスタンバイモード６１０にＳＩＭ１が戻るとき、時間期間６６５−ａ中に、ＷＷＡＮトランシーバがＳＩＭ２のアクティブ（Ｔｘ）モード６７５をサポートするために動作し続け、かつＷＬＡＮトランシーバがＳＩＭ２のアクティブ（Ｒｘ）モード６８０をサポートするために動作するとしても、ＳＩＭ２のためのサポートは同じままである。ＷＬＡＮトランシーバは、タイミング軸６４０上に示されるような時間期間６７０−ａ中、ＳＩＭ２がスタンバイモード６１０に戻ると、ＳＩＭ２の動作をサポートする。
【００６３】
[0090]  よって、ＳＩＭ２がＧＳＭ音声サブスクリプションに関連付けられるリソース通信のための第２のリソースマッピングにおいて、ＷＬＡＮトランシーバは、アイドル状態と、ＳＩＭ１が非アクティブであるときの独立型ＧＳＭ音声呼に関する送信および受信のうちの１つとに対処し、かつ、ＷＬＡＮトランシーバとＷＷＡＮトランシーバとの間のＧＳＭ音声呼のうちのいくつかまたはすべてのためのサポートを移行することなく、ＳＩＭ１がアクティブであるときのＧＳＭ音声呼に関する送信または受信のうちの１つにも対処する。
【００６４】
[0091]  図６Ｂは、本開示の様々な態様による、ワイヤレス通信のための第２のリソースマッピングを使用する、マルチプルＳＩＭ ＵＥ１１５の動作のための第２の例となるタイミング図６００−ｂを図示する。図６Ｂでは、タイミング軸６３０上に示されるような、ＷＷＡＮトランシーバによってサポートされるアクティブ（Ｔｘ）モード６７５と、タイミング軸６４０上に示されるようなＷＬＡＮトランシーバによってサポートされるアクティブ（Ｒｘ）モード６８０とを含む、時間期間６６０−ｂ中のアクティブモードにＳＩＭ２が入る前に、タイミング軸６２０上に示される時間期間６５５−ｂ中、ＳＩＭ１は、ＷＷＡＮトランシーバによってサポートされるアクティブモード６１５に入る。ＳＩＭ１は次に、タイミング軸６４０上に示されるようなＷＬＡＮトランシーバによってサポートされる時間期間６７０−ｂ中のスタンバイモード６１０にＳＩＭ２が入る前に、タイミング軸６２０上に示される時間期間６６５−ｂ中の、ＷＷＡＮトランシーバによってサポートされるスタンバイモード６１０に遷移する。図６Ａのタイミング図と同様に、ＷＬＡＮおよびＷＷＡＮトランシーバは、ＳＩＭ１のモード状態が変わる場合であっても、アクティブ（Ｔｘ）モード６７５およびアクティブ（Ｒｘ）モード６８０のためのサポートが、ＳＩＭ２のアクティブモード中にＷＬＡＮトランシーバとＷＷＡＮトランシーバとの間で移行されないように、ＳＩＭ１の現在のモードとは関係なくＳＩＭ２のためのサポートを提供する。
【００６５】
[0092]  図６Ｃは、本開示の様々な態様による、ワイヤレス通信のための第２のリソースマッピングを使用する、マルチプルＳＩＭ ＵＥ１１５の動作のための第３の例となるタイミング図６００−ｃを図示する。ここで、ＳＩＭ２は、時間期間６５５−ｃ中のスタンバイモード６１０の間に、時間期間６６０−ｃ中のＷＬＡＮトランシーバによってサポートされるアクティブ（Ｒｘ）モード６８０へと遷移し、タイミング軸６４０上に示されるような時間期間６６５−ｃ中のスタンバイモードに戻る。時間期間６６０−ｃ中、ＳＩＭ２のアクティブ（Ｔｘ）モードは、タイミング軸６３０上に示されるように、ＷＷＡＮトランシーバによってサポートされる。これらの２つの遷移は、ＳＩＭ１が時間期間６５５−ｃ、時間期間６６０−ｃ、および時間期間６６５−ｃ中、ＷＷＡＮトランシーバによってサポートされるアクティブモード６１５にある間に発生し、タイミング軸６２０上に示されるようなＷＷＡＮトランシーバによるＳＩＭ１のサポートに影響を及ぼさない。同様に、タイミング軸６２０上に示されるような、時間期間６５０−ｃ中のスタンバイモード６１０から時間期間６５５−ｃ中のアクティブモードへの、および時間期間６６５−ｃ中のアクティブモード６１５から時間期間６７０−ｃ中のスタンバイモードへのＳＩＭ１の遷移は、タイミング軸６３０およびタイミング軸６４０上に示されるようなＷＷＡＮおよびＷＬＡＮトランシーバによるＳＩＭ２のサポートに影響を及ぼさない。
【００６６】
[0093]  図６Ｄは、本開示の様々な態様による、ワイヤレス通信のための第２のリソースマッピングを使用する、マルチプルＳＩＭ ＵＥ１１５の動作のための第４の例となるタイミング図６００−ｄを図示する。タイミング軸６２０上に示される、時間期間６６０−ｄ中のＷＷＡＮトランシーバによってサポートされるアクティブモード６１５にＳＩＭ１が入る前に、ＳＩＭ２は、タイミング軸６３０上に示されるようなＷＷＡＮトランシーバによってサポートされるアクティブ（Ｔｘ）モード６７５と、タイミング軸６４０上に示されるようなＷＬＡＮトランシーバによってサポートされるアクティブ（Ｒｘ）モード６８０とを含む、時間期間６５５−ｄ中のアクティブモードに入る。ＳＩＭ２は次に、タイミング軸６２０上に示されるようなＷＷＡＮトランシーバによってサポートされる時間期間６７０−ｄ中のスタンバイモード６１０にＳＩＭ１が入る前に、タイミング軸６４０上に示される時間期間６６５−ｄ中の、ＷＬＡＮトランシーバによってサポートされるスタンバイモード６１０に遷移して戻る。図６Ａ、６Ｂ、および６Ｃのタイミング図と同様に、ＷＬＡＮおよびＷＷＡＮトランシーバは、ＳＩＭ１のモード状態が変わる場合であっても、アクティブ（Ｔｘ）モード６７５およびアクティブ（Ｒｘ）モード６８０のためのサポートが、ＳＩＭ２のアクティブモード中にＷＬＡＮトランシーバとＷＷＡＮトランシーバとの間で移行されないように、ＳＩＭ１の現在のモードとは関係なくＳＩＭ２のためのサポートを提供する。
【００６７】
[0094]  図６Ａ〜６Ｄは、ＳＩＭ２のアクティブ（Ｔｘ）モード６７５がＷＷＡＮトランシーバによって対処され、アクティブ（Ｒｘ）モード６８０がＷＬＡＮトランシーバによって対処される場合が示されるが、別の例によると、ＳＩＭ２のアクティブ（Ｔｘ）モード６７５はＷＬＡＮトランシーバによって対処され得、アクティブ（Ｒｘ）モード６８０はＷＷＡＮトランシーバによって対処され得る。
【００６８】
[0095]  第２のリソースマッピングのバリエーションによって、ＷＬＡＮトランシーバは、ＳＩＭ２のスタンバイモードをサポートすることに加えて、ＳＩＭ２のアクティブ（Ｔｘ）モードおよびアクティブ（Ｒｘ）モードの両方をサポートするために動作し得る。
【００６９】
[0096]  図７は、本開示の様々な態様による、第２のリソースマッピングのバリエーションを使用する、マルチプルＳＩＭ ＵＥとネットワークノードとの間の例となるメッセージフロー７００を示す。ＵＥ１１５−ｄは、図１のシステム１００におけるＵＥ１１５−ａ、または図２Ａおよび２Ｂのシステム２００におけるＵＳ１１５−ｂの例であり得、ＷＷＡＮおよびＷＬＡＮ通信の両方に関与し得る。基地局１０５−ｃは、図１のシステム１００に含まれる基地局１０５の、あるいは、図２Ａおよび２Ｂのシステム２００に含まれる基地局１０５−ａ−１または１０５−ａ−２の例であり得る。ＷＷＡＮモジュール２６０−ｃおよびＷＬＡＮモジュール２６５−ｃは、それぞれ、図２Ｂのシステム２００−ｂに含まれるＷＷＡＮモジュール２６０−ａおよびＷＬＡＮモジュール２６５−ａの例であり得る。
【００７０】
[0097]  はじめに、ＳＩＭ２は、ＵＥ１１５−ｄのためのトランシーバモジュールのＷＬＡＮモジュール２６５−ｃによってサポートされるスタンバイモードで動作している。ＵＥ１１５−ｄは、ＷＬＡＮモジュール２６５−ｃのリソースを使用して、ＳＩＭ２についてのページング７０５を監視する。ＷＬＡＮモジュール２６５−ｃは次に、ＳＩＭ２に関する音声呼についてのページング７１０を基地局１０５−ｃから受信する。ＷＬＡＮトランシーバのＷＬＡＮモジュール２６５−ｃは次に、送信および受信の両方について、ＳＩＭ２に関する音声呼７１５をサポートする。全体を通じて、ＷＷＡＮは、スタンバイモードにあるまたはアクティブモードにあるＳＩＭ１をサポートするために動作している可能性がある。
【００７１】
[0098]  ＳＩＭ２がＧＳＭ音声サブスクリプションに関連付けられる例では、基地局１０５−ｃは、ＧＳＭ基地局であり得、音声呼についてのページング７１０は、ＧＳＭ音声呼についてのページングであり得、音声呼７１５は、ＧＳＭ音声呼であり得る。
【００７２】
[0099]  図８Ａは、本開示の様々な態様による、ワイヤレス通信のための第３のリソースマッピングを使用する、マルチプルＳＩＭ ＵＥ１１５の動作のための第１の例となるタイミング図８００−ａを図示する。第３のリソースマッピングによると、ＷＷＡＮトランシーバは、ＳＩＭ２の動作モードに関係なく、ＳＩＭ１がそのスタンバイモードまたはアクティブモードのいずれかで動作しているとき、ＳＩＭ１をサポートするために動作し得る。ＳＩＭ２について、ＷＷＡＮトランシーバは、ＳＩＭ２がそのスタンバイモードで動作しているときに、ＳＩＭ２をサポートするために動作し得、ＷＷＡＮトランシーバのＴｘチェーンは、そのアクティブモードで動作しているとき、ＳＩＭ２に関する送信をサポートするために動作し得る。ＷＬＡＮトランシーバのＲｘチェーンは、ＳＩＭ２がそのアクティブモードで動作しているとき、ＳＩＭ２に関する受信をサポートするために動作し得る。しかしながら、ＳＩＭ２のためのサポートは、ＳＩＭ１のモード状態が変わる場合であっても、ＳＩＭ２のアクティブモード中にＷＬＡＮトランシーバとＷＷＡＮトランシーバとの間で移行されない。
【００７３】
[0100]  第３のリソースマッピングのこの第１の例では、はじめに、時間期間６５０−ａ中、ＳＩＭ１およびＳＩＭ２がスタンバイモード８１０で各々動作している。ＷＷＡＮトランシーバは、時間期間８５０−ａ中、タイミング軸８２０上に示されるＳＩＭ１をサポートするために動作しており、ＷＷＡＮトランシーバは、時間期間８５０−ａ中、タイミング軸８３０上に示されるＳＩＭ２をサポートするために動作している。時間期間８５５−ａ中、ＳＩＭ２は今や、タイミング軸８３０上のアクティブ（Ｔｘ）８７５によって示される、ＷＷＡＮトランシーバがＳＩＭ２に関する送信をサポートするために動作するアクティブモードで動作しており、ＷＬＡＮトランシーバは、タイミング軸８４０上のアクティブ（Ｒｘ）８８０によって示される、ＳＩＭ２に関する受信をサポートするために動作する。時間期間８５５−ａ中、ＷＷＡＮトランシーバは、未だスタンバイモード８１０にあるＳＩＭ１をサポートするために動作している。ＳＩＭ１は次に、タイミング軸８２０上に示される時間期間８６０−ａ中のアクティブモード８１５へと遷移する。ＷＷＡＮトランシーバが、ＳＩＭ２のアクティブ（Ｔｘ）モード８７５をサポートするために動作し、ＷＬＡＮトランシーバが、ＳＩＭ１の現在のモードに関係なく、ＳＩＭ２のスタンバイモード８１０およびアクティブ（Ｒｘ）モード８８０をサポートするために動作し、サポートは、時間期間８５５−ａと時間期間８６０−ａとの間で、ＷＬＡＮトランシーバとＷＷＡＮトランシーバとの間で移行されない。同様に、タイミング軸８２０上に示されるような時間期間８６５−ａで始まるスタンバイモード８１０にＳＩＭ１が戻るとき、時間期間８６５−ａ中に、ＷＷＡＮトランシーバがＳＩＭ２のアクティブ（Ｔｘ）モード８７５をサポートするために動作し続け、かつＷＬＡＮトランシーバがＳＩＭ２のアクティブ（Ｒｘ）モード８８０をサポートするために動作するとしても、ＳＩＭ２のためのサポートは同じままである。ＷＷＡＮトランシーバは、タイミング軸８３０上に示されるような時間期間８７０−ａ中、ＳＩＭ２がスタンバイモード８１０に戻ると、ＳＩＭ２の動作をサポートする。
【００７４】
[0101]  よって、ＳＩＭ２がＧＳＭ音声サブスクリプションに関連付けられるリソースの通信のための第２のリソースマッピングにおいて、ＷＷＡＮトランシーバは、アイドル状態と、ＳＩＭ１が非アクティブであるときの独立型ＧＳＭ音声呼に関する送信および受信のうちの１つとに対処し、および、ＷＬＡＮトランシーバとＷＷＡＮトランシーバとの間のＧＳＭ音声呼のうちのいくつかまたはすべてのためのサポートを移行することなく、ＳＩＭ１がアクティブであるときのＧＳＭ音声呼に関する送信または受信のうちの１つにも対処する。
【００７５】
[0102]  図８Ｂは、本開示の様々な態様による、ワイヤレス通信のための第３のリソースマッピングを使用する、マルチプルＳＩＭ ＵＥ１１５の動作のための第２の例となるタイミング図８００−ｂを図示する。図８Ｂに図示されるタイミング図は、図６Ｂに図示されるタイミング図に類似する。しかしながら、図８Ｂに図示されるような、ＳＩＭ２についてのスタンバイモード８１０は、タイミング軸８３０上に示されるように、時間期間８５０−ｂ、時間期間８５５−ｂ、および時間期間８７０−ｂ中、ＷＷＡＮトランシーバによってサポートされ、一方、図６Ｂに示されるように、ＳＩＭ２についてのスタンバイモード６１０は、タイミング軸６３０上に示されるように、時間期間６５０−ｂ、時間期間６５５−ｂ、および時間期間６７０−ｂ中、ＷＬＡＮトランシーバによってサポートされる。ＷＷＡＮトランシーバは、時間期間８６０−ｂおよび時間期間８６５−ｂ中、ＳＩＭ２についてのアクティブ（Ｔｘ）モードをサポートするように動作し、ＷＬＡＮトランシーバは、それぞれ、タイミング軸８３０およびタイミング軸８４０上に示されるように、時間期間８６０−ｂおよび時間期間８６５−ｂ中、ＳＩＭ２についてのアクティブ（Ｒｘ）モードをサポートするように動作する。ＳＩＭ２のアクティブ（Ｔｘ）モード８７５およびアクティブ（Ｒｘ）モード８８０のためのサポートは、ＳＩＭ１のモード状態が変わる場合であっても、ＳＩＭ２のアクティブモード中にＷＬＡＮトランシーバとＷＷＡＮトランシーバとの間で移行されない。
【００７６】
[0103]  同様に、図８Ｃおよび図８Ｄは、本開示の様々な態様による、ワイヤレス通信のための第３のリソースマッピングを使用する、マルチプルＳＩＭ ＵＥ１１５の動作のための第３の例となるタイミング図８００−ｃと、第４の例となるタイミング図８００−ｄとを図示する。図８Ｃおよび８Ｄに図示されるタイミング図は、図６Ｃおよび６Ｄに図示されるタイミング図に類似するが、図８Ｃおよび８Ｄに示されるように、ＳＩＭ２についてのスタンバイモード８１０は、タイミング軸８３０上に図示されるように、時間期間８５０−ｃ、時間期間８５５−ｃ、時間期間８６５−ｃ、時間期間８７０−ｃ、時間期間８５０−ｄ、時間期間８６５−ｄ、および時間期間８７０−ｄ中、ＷＷＡＮトランシーバによってサポートされ、一方、図６Ｃおよび６Ｄに図示されるように、ＳＩＭ２についてのスタンバイモード６１０は、タイミング軸６３０上に図示されるように、時間期間６５０−ｃ、時間期間６５５−ｃ、時間期間６６０−ｃ、時間期間６７０−ｃ、時間期間６６５−ｄ、および時間期間６７０−ｄ中、ＷＬＡＮトランシーバによってサポートされる。また、図８Ａおよび８Ｂに関して図示および説明されるように、ＳＩＭ２のアクティブ（Ｔｘ）モード８７５およびアクティブ（Ｒｘ）モード８８０のためのサポートは、ＳＩＭ１のモード状態が変わる場合であっても、ＳＩＭ２のアクティブモード中にＷＬＡＮトランシーバとＷＷＡＮトランシーバとの間で移行されない。
【００７７】
[0104]  図８Ａ〜８Ｄは、ＳＩＭ２のアクティブ（Ｔｘ）モード８７５がＷＷＡＮトランシーバによって対処され、アクティブ（Ｒｘ）モード８８０がＷＬＡＮトランシーバによって対処される場合が示されるが、別の例によると、ＳＩＭ２のアクティブ（Ｔｘ）モード８７５はＷＬＡＮトランシーバによって対処され得、アクティブ（Ｒｘ）モード８８０はＷＷＡＮトランシーバによって対処され得る。
【００７８】
[0105]  第３のリソースマッピングのバリエーションによって、ＷＬＡＮトランシーバは、ＳＩＭ２のアクティブ（Ｔｘ）モードおよびアクティブ（Ｒｘ）モードの両方をサポートするために動作し、一方、ＷＷＡＮトランシーバは、ＳＩＭ２のスタンバイモードをサポートするために動作する。
【００７９】
[0106]  図９は、本開示の様々な態様による、第３のリソースマッピングを使用する、マルチプルＳＩＭ ＵＥとネットワークノードとの間の例となるメッセージフロー９００を示す。ＵＥ１１５−ｄは、図１のシステム１００におけるＵＥ１１５−ａ、または図２Ａおよび２Ｂのシステム２００におけるＵＳ１１５−ｂの例であり得、ＷＷＡＮおよびＷＬＡＮ通信の両方に関与し得る。基地局１０５−ｄは、図１のシステム１００に含まれる基地局１０５の、あるいは、図２Ａおよび２Ｂのシステム２００に含まれる基地局１０５−ａ−１または１０５−ａ−２の例であり得る。ＷＷＡＮモジュール２６０−ｄおよびＷＬＡＮモジュール２６５−ｄは、それぞれ、図２Ｂのシステム２００−ｂに含まれるＷＷＡＮモジュール２６０−ａおよびＷＬＡＮモジュール２６５−ａの例であり得る。
【００８０】
[0107]  はじめに、ＳＩＭ２は、ＵＥ１１５−ｄのためのトランシーバモジュールのＷＷＡＮモジュール２６５−ｄによってサポートされるスタンバイモードで動作している。ＵＥ１１５−ｄは、ＷＬＡＮモジュール２６５−ｄのリソースを使用して、ＳＩＭ２についてのページング９０５を監視する。ＷＬＡＮモジュール２６５−ｄは次に、ＳＩＭ２に関する音声呼についてのページング９１０を基地局１０５−ｄから受信する。構成メッセージング９１５は次に、ＷＷＡＮモジュール２６０−ｄとＷＬＡＮモジュール２６５−ｄとの間を通り、次に、ＷＬＡＮトランシーバのＷＬＡＮモジュール２６５−ｄは、送信および受信の両方について、ＳＩＭ２に関する音声呼９２０をサポートする。全体を通じて、ＷＷＡＮは、スタンバイモードにあるまたはアクティブモードにあるＳＩＭ１をサポートするために動作している可能性がある。
【００８１】
[0108]  ＳＩＭ２がＧＳＭ音声サブスクリプションに関連付けられる例では、基地局１０５−ｄは、ＧＳＭ基地局であり得、音声呼についてのページング９１０は、ＧＳＭ音声呼についてのページングであり得、音声呼９２０は、ＧＳＭ音声呼であり得る。
【００８２】
[0109]  図１０Ａは、様々な例による、ワイヤレス通信で使用するための装置１００５−ａのブロック図１０００−ａを示す。装置１００５−ａは、図１および／または２を参照して説明される、ＵＥ１１５の１つまたは複数の態様の例であり得る。装置１００５−ａは、受信機モジュール１０１０−ａ、リソースマッピングコントローラ１０１５−ａ、および／または送信機モジュール１０２０−ａを含み得る。装置１００５−ａはまた、プロセッサ（図示されない）も含み得る。これらのコンポーネントの各々は、互いと通信状態にあり得る。
【００８３】
[0110]  受信機モジュール１０１０−ａは、ＷＷＡＮモジュール２６０−ｅおよびＷＬＡＮモジュール２６５−ｅを含み得る。ＷＷＡＮモジュール２６０−ｅは、受信されたＷＷＡＮ通信を処理するために使用され得る。ＷＷＡＮモジュール２６０−ｅは、ＷＷＡＮモデムのＴｘおよびＲｘチェーンのコンポーネントのいくつかまたは全てを含み得る。ＷＷＡＮモジュール２６０−ｅはまた、受信されたＷＷＡＮ通信を処理のためにＷＬＡＮモジュール２６５−ｅにルーティングし得る。ＷＬＡＮモジュール２６５−ｅは、ＷＬＡＮモデムのＴｘおよびＲｘチェーンのコンポーネントのいくつかまたは全てを含み得る。ＷＬＡＮモジュール２６５−ｅは、ＷＬＡＮおよびＷＷＡＮ通信の両方を処理し得る。ＷＷＡＮ通信は、ＷＬＡＮモジュール２６５−ｅ内のコンポーネントの一部分によって処理され得、次に、ベースバンド処理のためにリソースマッピングコントローラ１０１５−ａにわたされる。
【００８４】
[0111]  リソースマッピングコントローラ１０１５−ａは、ＷＷＡＮモジュール２６０−ｅおよび／またはＷＬＡＮモジュール２６０−ｅのいくつかまたは全てを含み、ならびに／あるいは、ＷＷＡＮモジュール２６０−ｅおよびＷＬＡＮモジュール２６０−ｅの動作を制御し得る。リソースマッピングコントローラ１０１５−ａは、第１のＳＩＭ（ＳＩＭ１）１０２５−ａおよび第２のＳＩＭ（ＳＩＭ２）１０３０−ａを含み得る。いくつかの例では、リソースマッピングコントローラ１０１５−ａは、追加のＳＩＭ（図示されない）を含み得る。第１の通信ネットワークを通じたＷＷＡＮ通信は、第１のＳＩＭ１ １０２５−ａをサポートし得る。第２の通信ネットワークを通じたＷＷＡＮ通信は、ＳＩＭ２ １０３０−ａをサポートし得る。各追加のＳＩＭ（図示されない）は、追加の通信ネットワークを通じたＷＷＡＮ通信をサポートし得る。ＳＩＭ１ １０２５−ａおよびＳＩＭ２ １０３０−ａは、同時にアクティブ状態であり得、それは、装置１００５−ａが２つの通信ネットワークを通じたアクティブな通信をサポートすることを可能にし得る。リソースマッピングコントローラ１０１５−ａはまた、例えば、（図３Ａ〜３Ｄ、および図４Ａ〜４Ｄに関してを含む）上述された第１のリソースマッピングシナリオ、（図５に関してを含む）第１のリソースマッピングシナリオのバリエーション、（図６Ａ〜６Ｄに関してを含む）上述された第２のリソースマッピングシナリオ、（図７に関してを含む）第２のリソースマッピングシナリオのバリエーション、（図８Ａ〜８Ｄに関してを含む）上述されたリソースマッピングシナリオ、および（図９に関してを含む）第３のリソースマッピングシナリオのバリエーションを含む、異なるリソースマッピングシナリオによって、ＷＷＡＮ通信と同時にＷＬＡＮ通信をサポートし得る。
【００８５】
[0112]  送信機モジュール１０２０−ａは、受信機モジュール１０１０−ａにコロケートされ（co-located）得、ＷＷＡＮモジュール２６５−ｅおよびＷＬＡＮモジュール２６５−ｅもまた含み得る。ＷＷＡＮモジュール２６０−ｅは、送信の前に、ＷＷＡＮ通信を処理するために使用され得る。ＷＬＡＮモジュール２６５−ｅは、送信の前に、ＷＬＡＮおよびＷＷＡＮ通信の両方を処理し得る。ＷＷＡＮ通信は、ＷＬＡＮモジュール２６５−ｅ内のコンポーネントの一部分によって処理され得る。ＷＬＡＮモジュール２６５−ｅは次に、ＷＷＡＮ通信をＷＷＡＮアンテナを介してさらなる処理および送信のために、ＷＷＡＮモジュール２６５−ｅにルーティングし得る。
【００８６】
[0113]  図１０Ｂは、様々な例による、ワイヤレス通信のためのワイヤレスデバイスで使用される装置１００５−ｂのブロック図１０００−ｂを示す。ＵＥ１００５−ｂは、図１および２を参照して説明される、ＵＥ１１５の１つまたは複数の態様の例であり得る。それはまた、図１０Ａを参照して説明される装置１００５−ａの例でもあり得る。装置１００５−ｂは、受信機モジュール１０１０−ｂ、リソースマッピングコントローラ１０１５−ｂ、および／または送信機モジュール１０２０−ｂを含み得、それは、装置１００５−ａの対応するモジュールの例であり得る。装置１００５−ｂはまた、プロセッサ（図示されない）も含み得る。これらのモジュールの各々は、互いと通信状態にあり得る。リソースマッピングコントローラ１０１５−ｂは、ＳＩＭ状態モニタ１０３５、ＷＷＡＮトランシーバ割り当てマネージャ１０４０、ＷＬＡＮトランシーバ割り当てマネージャ１０４５、ＷＷＡＮ／ＷＬＡＮ移行マネージャ１０５０、およびＷＬＡＮ使用モニタ１０５５を含み得る。受信機モジュール１０１０−ｂおよび送信機モジュール１０２０−ｂは、それぞれ、図１０Ａの受信機モジュール１０１０−ａおよび送信機モジュール１０２０−ａの機能を実行し得、ＷＷＡＮモジュール２６０−ｆおよびＷＬＡＮモジュール２６５−ｆを各々含み得る。
【００８７】
[0114]  ＳＩＭ状態モニタ１０３５は、ＳＩＭ１ １０２５およびＳＩＭ２ １０３０の各々を含み、ＵＥ１１５内にもまた存在する任意の追加のＳＩＭ（図示されない）を含む、ＵＥ１１５の各ＳＩＭの動作モードを監視する。ＳＩＭ１ １０２５は、アクティブモードおよびスタンバイ（またはアイドル）モードを含むいくつかのモードのうちの１つで動作し得る。
【００８８】
[0115]  ＷＷＡＮトランシーバ割り当てマネージャ１０４０は、ＵＥ１１５に存在するＳＩＭの１つまたは複数をサポートするための、あるいはＵＥ１１５に存在するいずれのＳＩＭもサポートしない（or none, of the SIMs present in UE 115）、ＷＷＡＮトランシーバリソースを割り当て、ここで、このような割り当ては、１つまたは複数のＳＩＭの動作モードに部分的に基づき得る。例えば、ＳＩＭ１がアクティブモードにある場合、ＷＷＡＮトランシーバは、ＳＩＭ１に関する音声呼を支援して動作するためのＷＷＡＮトランシーバチェーンの一部を、ＵＥ １１５の他のＳＩＭを支援して、リソース割り当ての除外（exclusion）に割り当て得る。
【００８９】
[0116]  ＷＬＡＮトランシーバ割り当てマネージャ１０４５は、ＵＥ１１５に存在するＳＩＭの１つまたは複数をサポートするための、あるいはＵＥ１１５に存在するいずれのＳＩＭもサポートしない、ＷＬＡＮトランシーバリソースを割り当て、ここで、このような割り当ては、１つまたは複数のＳＩＭの動作モードに部分的に基づき得る。リソースの割り当てはまた、Ｗｉ−Ｆｉ、Ｂｌｕｅｔｏｏｔｈ、またはＳＩＭに関連のない他のＷＬＡＮ機能をサポートするために、ＷＬＡＮトランシーバの使用に部分的に基づき得る。例えば、ＷＬＡＮトランシーバは、Ｗｉ−Ｆｉネットワークとアクティブに通信し、ＷＬＡＮトランシーバは、ＳＩＭ２に関する音声呼を支援して動作するために、ＷＬＡＮトランシーバの送信および受信部分の両方を割り当てるのではなく、ＳＩＭ２に関する音声呼を支援して動作するために、ＷＬＡＮトランシーバチェーンの受信部分ではなくＷＬＡＮトランシーバチェーンの送信部分を割り当て得る。
【００９０】
[0117]  ＷＷＡＮ／ＷＬＡＮ移行マネージャ１０５０は、１つまたは複数のＷＷＡＮトランシーバと１つまたは複数のＷＬＡＮトランシーバとの間のＳＩＭを支援する動作の移行を管理するのを手助けする。
【００９１】
[0118]  ＷＬＡＮ使用モニタ１０５５は、ＳＩＭの１つまたは複数をサポートするためのＷＬＡＮトランシーバチェーンのリソースの利用可能性を決定するために、ＷＬＡＮトランシーバの使用を監視する。例えば、ＷＬＡＮ使用モニタ１０５５は、ＷＬＡＮトランシーバがＷｉ−Ｆｉネットワークとアクティブに通信していることをＷＬＡＮトランシーバ割り当てマネージャ１０４５に報告し得る。
【００９２】
[0119]  図１１は、様々な例による、ワイヤレス通信で使用するためのシステム１１００を示す。システム１１００は、ＵＥ１１５−ｆを含み得、それは、図１、２、５、７、および／または９のＵＥ１１５の例であり得る。ＵＥ１１５−ｆはまた、図１０Ａおよび／または１０Ｂの装置１００５の１つまたは複数の態様の例であり得る。
【００９３】
[0120]  ＵＥ１１５−ｆは一般に、通信を送信するためのコンポーネントと通信を受信するためのコンポーネントとを含む、双方向音声およびデータ通信のためのコンポーネントを含み得る。ＵＥ１１５−ｆは、ＷＷＡＮアンテナ２０５−ｂ、ＷＬＡＮアンテナ２１０−ｂ、トランシーバモジュール１１２５、プロセッサモジュール１１１０、および（ソフトウェア（ＳＷ）１１２０を含む）メモリ１１１５を含み得、それらは各々、（例えば、１つまたは複数のバス１１３０を介して）互いと直接的または間接的に通信し得る。トランシーバモジュール１１２５は、上述されるように、ＷＷＡＮアンテナ２０５−ｂ、ＷＬＡＮアンテナ２１０−ｂ、および／または１つまたは複数のワイヤードあるいはワイヤレスリンクを介して、１つまたは複数のネットワークを用いて、双方向に通信するように構成され得る。例えば、トランシーバモジュール１１２５は、図１および／または２を参照して、基地局１０５およびＡＰ１１０と双方向に通信するように構成され得る。トランシーバモジュール１１２５は、パケットを変調し、その変調されたパケットを送信のためにＷＷＡＮアンテナ２０５−ｂに提供し、ＷＷＡＮアンテナ２０５−ｂから受信されたパケットを復調するように構成されたＷＷＡＮモジュール２６０−ｇを含み得る。
【００９４】
[0121]  ＵＥ１１５−ｆは、マルチプルなワイヤレス通信を同時に送信および／または受信することが可能なマルチプルなＷＷＡＮアンテナ２０５−ｂを有し得る。トランシーバモジュール１１２５は、マルチプルなコンポーネントキャリアおよび／または通信ネットワークを介して、１つまたは複数の基地局と同時に通信することが可能であり得る。加えて、トランシーバモジュール１１２５は、パケットを変調し、その変調されたパケットを送信のためにＷＬＡＮアンテナ２１０−ｂに提供し、ＷＬＡＮアンテナ２１０−ｂから受信されたパケットを復調するように構成されるＷＬＡＮモジュール２６５−ｇを含み得る。ＵＥ１１５−ｆは、マルチプルなワイヤレス通信を同時に送信および／または受信することが可能なマルチプルなＷＬＡＮアンテナ２１０−ｂを有し得る。トランシーバモジュール１１２５は、ＷＬＡＮアンテナ２１０−ｂを介して１つまたは複数のＡＰ１１０と通信することが可能であり得る。トランシーバモジュール１１２５は、ＷＬＡＮモジュール２６５−ｇ内のコンポーネントの一部分を、ＷＷＡＮアンテナ２０５−ｂを介して受信されるＷＷＡＮ通信を処理するために使用し得る。トランシーバモジュール１１２５はまた、ＷＷＡＮアンテナ２０５−ｂを介する送信の前にＷＷＡＮ通信を処理するために、ＷＬＡＮモジュール２６５−ｇ内のコンポーネントの一部分を使用し得る。
【００９５】
[0122]  ＵＥ１１５−ｆは、リソースマッピングコントローラ１０１５−ｃを含み得、それは、図１０Ａおよび１０Ｂの装置１００５のリソースマッピングコントローラ１０１５、および／または図５、７、および９のＵＥ１１５について上述される、ならびに／あるいは、図３Ａ〜４Ｄ、６Ａ〜６Ｄ、および８Ａ〜８Ｄのタイミング図に関してＵＥ１１５について説明されるような機能を実行し得る。リソースマッピングコントローラ１０１５−ｃは、ＳＩＭ１ １０２５−ｂおよびＳＩＭ２ １０３０−ｂを含み得る。第１の通信ネットワークを通じたＷＷＡＮ通信は、ＳＩＭ１ １０２５−ｂをサポートし、第２の通信ネットワークを通じたＷＷＡＮ通信は、ＳＩＭ２ １０３０−ｂをサポートし得る。
【００９６】
[0123]  メモリ１１１５は、ランダムアクセスメモリ（ＲＡＭ）および読取専用メモリ（ＲＯＭ）を含み得る。メモリ１１１５は、実行されると、プロセッサモジュール１１１０に、本明細書で説明される様々な機能（例えば、リソースマッピングなどによって、ＷＷＡＮトランシーバおよびＷＬＡＮトランシーバのうちの１つ、あるいはその両方に、ワイヤレス通信のためのＳＩＭ動作のためのサポートをマッピングする）を行わせるように構成される命令を含む、コンピュータ可読なコンピュータ実行可能ソフトウェア／ファームウェアコード１１２０を記憶し得る。代替的に、コンピュータ可読なコンピュータ実行可能ソフトウェア／ファームウェアコード１１２０は、プロセッサモジュール１１１０によって直接実行可能ではない可能性があるが、（例えば、コンパイルおよび実行されると）コンピュータに、本明細書で説明される機能を行わせるように構成され得る。プロセッサモジュール１１１０は、例えば、中央処理ユニット（ＣＰＵ）、マイクロコントローラ、特定用途向け集積回路（ＡＳＩＣ）などのインテリジェントハードウェアデバイスを含み得る。
【００９７】
[0124]  図１２は、本開示の様々な態様による、ワイヤレス通信のための方法１２００の第１の例を図示するフローチャートである。明確化のために、方法１２００は、図１、２Ａ、２Ｂ、１０Ａ、１０Ｂ、および／または１１を参照して説明されるワイヤレスデバイスの１つまたは複数の態様を参照して下記に説明される。いくつかの例では、ワイヤレスデバイスは、下記に説明される機能を実行するためのワイヤレスデバイスの機能的要素を制御するために、コードの１つまたは複数のセットを実行し得る。追加的にまたは代替的に、ワイヤレスデバイスは、使用目的に応じたハードウェアを使用して、下記に説明される機能のうちの１つまたは複数を行い得る。
【００９８】
[0125]  ブロック１２０５において、方法１２００は、ＵＥのＳＩＭ１をサポートするために、ワイヤレスワイドエリアネットワークＷＷＡＮトランシーバを動作させることを含み得る。このような動作は、図３Ａ〜９のタイミング図およびメッセージフローに関して示され説明されるリソースマッピングの１つまたは複数と一致し得、具体的には、ＳＩＭ１のアクティブモードとスタンバイモードとのうちの１つまたは複数中、ＳＩＭ１をサポートするためのＷＷＡＮトランシーバの動作に関する。
【００９９】
[0126]  ブロック１２１０において、方法１２００は、ＵＥのＳＩＭ２をサポートするために、またはサポートしないために（to support or not SIM2 of the UE）、ＷＷＡＮトランシーバとＷＬＡＮトランシーバとを選択的に動作させることを含む。このような動作は、図３Ａ〜９のタイミング図およびメッセージフローに関して示され説明されるリソースマッピングの１つまたは複数と一致し得、具体的には、ＳＩＭ２のアクティブモードとスタンバイモードのうちの１つまたは複数中、ＳＩＭ２をサポートするための、またはサポートしないための、ＷＷＡＮトランシーバおよびＷＬＡＮトランシーバの動作に関する。
【０１００】
[0127]  ブロック１２０５および１２１０における動作は、図１０Ａ、１０Ｂ、および１１を参照して説明されるリソースマッピングコントローラ１０１５を使用して行われ得る。
【０１０１】
[0128]  よって、方法１２００は、ワイヤレス通信を提供し得る。方法１２００は、単に１つの実装に過ぎず、方法１２００の動作は、他の実装が可能になるように、再配置されるか、またはそうでなければ修正され得ることに留意されたい。
【０１０２】
[0129]  図１３は、本開示の様々な態様による、ワイヤレス通信のための方法１３００の第１の例を図示するフローチャートである。明確化のために、方法１３００は、図１、２Ａ、２Ｂ、１０Ａ、１０Ｂ、および／または１１を参照して説明されるワイヤレスデバイスの１つまたは複数の態様を参照して下記に説明される。いくつかの例では、ワイヤレスデバイスは、下記に説明される機能を実行するためのワイヤレスデバイスの機能的要素を制御するために、コードの１つまたは複数のセットを実行し得る。追加的にまたは代替的に、ワイヤレスデバイスは、使用目的に応じたハードウェアを使用して、下記に説明される機能のうちの１つまたは複数を行い得る。
【０１０３】
[0130]  ブロック１３０５において、方法１３００は、ＵＥのＳＩＭ１をサポートするために、ワイヤレスワイドエリアネットワークＷＷＡＮトランシーバを動作させることを含み得る。このような動作は、図３Ａ〜９のタイミング図およびメッセージフローに関して示され説明されるリソースマッピングの１つまたは複数と一致し得、具体的には、ＳＩＭ１のアクティブモードとスタンバイモードとのうちの１つまたは複数中、ＳＩＭ１をサポートするためのＷＷＡＮトランシーバの動作に関する。
【０１０４】
[0131]  ブロック１３１０において、方法１３００は、ＵＥのＳＩＭ２をサポートするために、またはサポートしないために、ＷＷＡＮトランシーバとＷＬＡＮトランシーバとを選択的に動作させることを含む。このような動作は、図３Ａ〜９のタイミング図およびメッセージフローに関して示され説明されるリソースマッピングの１つまたは複数と一致し得、具体的には、ＳＩＭ２のアクティブモードとスタンバイモードのうちの１つまたは複数中、ＳＩＭ２をサポートするための、またはサポートしないための、ＷＷＡＮトランシーバおよびＷＬＡＮトランシーバの動作に関する。
【０１０５】
[0132]  ブロック１３１５において、方法１３００は、ＳＩＭ１がＳＩＭ１スタンバイモードからＳＩＭ１アクティブモードへと切り替えられたことを検出することを含み得る。このような動作は、図３Ａ〜９のタイミング図およびメッセージフローに関して示され説明されるリソースマッピングの１つまたは複数と一致し得、具体的には、図３Ａ〜４Ｄについてのタイミング軸３２０上に示されるようなスタンバイモード３１０からアクティブモード３１５への遷移中、図６Ａ〜６Ｄについてのタイミング軸６２０上に示されるようなスタンバイモード６１０からアクティブモード６１５への遷移中、および／または図８Ａ〜８Ｄについてのタイミング軸８２０上に示されるようなスタンバイモード８１０からアクティブモード８１５への遷移中、ＳＩＭ１をサポートするためのＷＷＡＮトランシーバの動作に関する。
【０１０６】
[0133]  ブロック１３２０において、方法１３００は、ＳＩＭ２をサポートするためにＷＷＡＮトランシーバを動作させることから、ＳＩＭ２をサポートするためにＷＬＡＮトランシーバを動作させることへと移行することを含み得る。このような動作は、図３Ａ〜９のタイミング図およびメッセージフローに関して示され説明されるリソースマッピングの１つまたは複数と一致し得、具体的には、図３Ａ〜４Ｄに関してタイミング軸３３０上に示されるような、図６Ａ〜６Ｄに関してタイミング軸６３０上に示されるような、および／または図８Ａ〜８Ｄに関してタイミング軸８３０上に示されるような、ＳＩＭ２をサポートするためのＷＷＡＮトランシーバの動作を、図３Ａ〜４Ｄに関してタイミング軸３４０上に示されるような、図６Ａ〜６Ｄに関してタイミング軸６４０上に示されるような、および／または図８Ａ〜８Ｄに関してタイミング軸８４０上に示されるような、ＳＩＭ２をサポートするためのＷＬＡＮトランシーバの動作へと移行することに関する。
【０１０７】
[0134]  ブロック１３０５、１３１０、１３１５、および１３２０における動作は、図１０Ａ、１０Ｂ、および１１を参照して説明されるリソースマッピングコントローラ１０１５を使用して行われ得る。
【０１０８】
[0135]  よって、方法１３００は、ワイヤレス通信を提供し得る。方法１３００は、単に１つの実装に過ぎず、方法１３００の動作は、他の実装が可能になるように、再配置されるか、またはそうでなければ修正され得ることに留意されたい。
【０１０９】
[0136]  いくつかの例では、方法１２００および１３００のうちの２つ以上からの態様が組み合され得る。方法１２００、１３００は単に例となる実装であり、方法１２００の動作であることに留意されたい。方法１３００は、他の実装が可能になるように、再配置されるか、またはそうでなければ修正され得ることに留意されたい。
【０１１０】
[0137]  添付の図面に関連して上述された詳細な説明は、例を説明しており、実装され得るまたは特許請求の範囲内にある例のみを表すものではない。本明細書で使用されるとき、「例」および「例示的な」という用語は、「例、事例、または例示の役割を果たすこと」を意味し、「好ましい」または「他の例よりも有利である」ことを意味するものではない。詳細な説明は、説明される技法の理解を提供する目的で、特定の詳細を含む。しかしながら、これらの技法は、これらの具体的な詳細がなくとも実現され得る。いくつかの事例では、周知の構造および装置は、説明される例の概念を曖昧にすることをさけるために、ブロック図形式で示される。
【０１１１】
[0138]  情報および信号は、様々な異なる技術および技法のうちの任意のものを用いて表わされ得る。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【０１１２】
[0139]  本明細書での開示に関連して説明される様々な実例となるブロックおよびコンポーネントは、汎用プロセッサ、デジタルシグナルプロセッサ（ＤＳＰ）、ＡＳＩＣ、ＦＰＧＡまたは他のプログラマブル論理デバイス、ディスクリートゲートまたはトランジスタロジック、ディスクリートハードウェアコンポーネント、または本明細書で説明される機能を実行するように設計されたこれらの任意の組み合わせを用いて実装または実行され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、例えば、ＤＳＰおよびマイクロプロセッサの組み合わせ、マルチプルなマイクロプロセッサ、ＤＳＰコアと連携した１つまたは複数のマイクロプロセッサ、あるいは任意の他のこのような構成のような、コンピューティングデバイスの組み合わせとして実装され得る。
【０１１３】
[0140]  本明細書で説明される機能は、ハードウェア、プロセッサによって実行されるソフトウェア、ファームウェア、またはそれらの任意の組み合わせにおいて実装され得る。プロセッサによって実行されるソフトウェア内に実装される場合、機能は、コンピュータ可読媒体上の１つまたは複数の命令またはコードを介して記憶あるいは送信され得る。他の例および実装は、本開示および添付の特許請求の範囲の精神および範囲内にある。例えば、ソフトウェアの性質により、上述される機能は、プロセッサによって実行されるソフトウェア、ハードウェア、ファームウェア、ハードワイヤリング、またはこれらの任意の組み合わせを使用して実装され得る。機能を実装する特徴はまた、機能の一部が、異なる物理的ロケーションにおいて実装されるように分散されることを含む、様々な位置に物理的に位置付けられ得る。本明細書で使用されるように、特許請求の範囲に含まれる「および／または」という用語は、２つ以上の項目のリストで使用されるとき、それ自体によって用いられ得るリスト化された項目のうちの任意の１つ、またはリスト化された項目のうちの２つ以上の任意の組合せが用いられ得ることを意味する。例えば、ある構成物が、コンポーネントＡ、Ｂ、および／またはＣを含むとして説明される場合、この構成物は、Ａのみ、Ｂのみ、Ｃのみ、ＡとＢとの組み合わせ、ＡとＣとの組み合わせ、ＢとＣとの組み合わせ、またはＡとＢとＣとの組み合わせを含み得る。また、特許請求の範囲を含む、本明細書で説明される場合、項目のリスト（例えば、「〜のうちの少なくとも１つ」または「〜のうちの１つまたは複数」のようなフレーズを前置きする項目のリスト）で使用されるような「または（or）」は、例えば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するような離接的な（disjunctive）リストを示す。
【０１１４】
[0141]  コンピュータ可読媒体は、１つの場所から別の場所へのコンピュータプログラムの移行を促進する任意の媒体を含む、コンピュータ記憶媒体および通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスク記憶装置、磁気ディスク記憶装置または他の磁気記憶デバイス、あるいは命令またはデータ構造の形態で所望のプログラムコード手段を搬送または記憶するために使用され得、汎用または特殊用途コンピュータ、あるいは汎用または特殊用途プロセッサによってアクセスされ得る、任意の他の媒体を備え得る。また、任意の接続は、厳密にはコンピュータ可読媒体と呼ばれる。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技術を使用して送信される場合、同軸ケーブル、光ファイバーケーブル、ツイストペア、ＤＳＬ、あるいは赤外線、無線、およびマイクロ波のようなワイヤレス技術は送信媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイディスクを含み、ここで、ディスク（disk）は、通常磁気的にデータを再生し、一方、ディスク（disc）は、レーザを用いて光学的にデータを再生する。上記の組み合わせもまた、コンピュータ可読媒体の範囲内に含まれる。
【０１１５】
[0142]  本開示の先の説明は、当業者が本開示を使用または製造することが可能なように提供される。本開示への様々な修正は、当業者にとって容易に明らかであり、本明細書で定義される一般的な原理は、本開示の範囲から逸脱することなく、他のバリエーションにも適用され得る。よって、本開示は、本明細書で説明される例および設計に限定されるものではなく、本明細書に開示される原理および新規の特徴と一致する最も広い範囲が与えられるべきものである。
以下に本願の出願当初の特許請求の範囲に記載された発明を付記する。
［Ｃ１］
ワイヤレス通信のための方法であって、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと
を備える、方法。
［Ｃ２］
前記第１のＳＩＭが第１ＳＩＭスタンバイモードから第１ＳＩＭアクティブモードへと切り替えられたことを検出することと、
前記第２のＳＩＭをサポートするために前記ＷＷＡＮトランシーバを動作させることから、前記第２のＳＩＭをサポートするために前記ＷＬＡＮトランシーバを動作させることへと移行することと
をさらに備える、Ｃ１に記載の方法。
［Ｃ３］
前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させることと、
前記第１のＳＩＭが第１ＳＩＭスタンバイモードにあり、前記第２のＳＩＭが第２ＳＩＭスタンバイモードにある第２の期間中、前記第２のＳＩＭをサポートするために前記ＷＬＡＮトランシーバを動作させることと
をさらに備える、Ｃ１に記載の方法。
［Ｃ４］
前記ＷＷＡＮトランシーバによって、第２のＳＩＭに関する音声呼を検出するために、前記第２のＳＩＭついてのページングを監視することと、
前記第１のＳＩＭが第１ＳＩＭアクティブモードにある間、前記第２のＳＩＭに関する前記音声呼をサポートするために、前記ＷＬＡＮトランシーバを動作させることと
さらに備える、Ｃ１に記載の方法。
［Ｃ５］
前記第２のＳＩＭをサポートするために前記ＷＷＡＮトランシーバと前記ＷＬＡＮトランシーバとを選択的に動作させることは、
前記第１のＳＩＭが第１ＳＩＭアクティブモードにある第１の期間中、前記第２のＳＩＭをサポートするために前記ＷＬＡＮトランシーバを動作させること
を備える、Ｃ１に記載の方法。
［Ｃ６］
前記第１のＳＩＭが第１ＳＩＭアクティブモードにある前記第１の期間中、前記第２のＳＩＭをサポートするために前記ＷＬＡＮトランシーバを動作させることは、
前記ＷＬＡＮトランシーバの受信チェーンを用いて、前記第１の期間中、前記第２のＳＩＭのために前記ＵＥにおいてＷＷＡＮから受信される第１の信号を処理することと、
前記ＷＷＡＮトランシーバの送信チェーンを用いて、前記第１の期間中、前記第２のＳＩＭのために前記ＵＥから前記ＷＷＡＮに送信されるべき第２の信号を処理することと
をさらに備える、Ｃ５に記載の方法。
［Ｃ７］
前記第１の期間中、前記第２のＳＩＭをサポートするために前記ＷＷＡＮを動作させることは、
前記ＷＷＡＮトランシーバの受信チェーンを用いて、前記第１の期間中、前記第２のＳＩＭのために前記ＵＥにおいてＷＷＡＮから受信される第１の信号を処理することと、
前記ＷＬＡＮトランシーバの送信チェーンを用いて、前記第１の期間中、前記第２のＳＩＭのために前記ＵＥから前記ＷＷＡＮに送信されるべき第２の信号を処理することと
をさらに備える、Ｃ５に記載の方法。
［Ｃ８］
前記第２のＳＩＭをサポートするために前記ＷＷＡＮトランシーバと前記ＷＬＡＮトランシーバとを選択的に動作させることは、
前記第１のＳＩＭが第１ＳＩＭスタンバイモードにあり、前記第２のＳＩＭが第２ＳＩＭスタンバイモードにある第２の期間中、前記第２のＳＩＭをサポートするために前記ＷＷＡＮトランシーバを動作させること
をさらに備える、Ｃ５に記載の方法。
［Ｃ９］
前記第２のＳＩＭをサポートするために前記ＷＷＡＮトランシーバと前記ＷＬＡＮトランシーバとを選択的に動作させることは、
前記第１のＳＩＭが第１ＳＩＭスタンバイモードにあり、前記第２のＳＩＭが第２ＳＩＭアクティブモードにある第２の期間中、前記第２のＳＩＭをサポートするために前記ＷＷＡＮトランシーバを動作させること
をさらに備える、Ｃ５に記載の方法。
［Ｃ１０］
前記第２のＳＩＭをサポートするために前記ＷＷＡＮトランシーバと前記ＷＬＡＮトランシーバとを選択的に動作させることは、
前記第１のＳＩＭが第１ＳＩＭスタンバイモードにあり、前記第２のＳＩＭが第２ＳＩＭアクティブモードにある第２の期間中、前記第２のＳＩＭをサポートするために前記ＷＬＡＮトランシーバを動作させること
をさらに備える、Ｃ５に記載の方法。
［Ｃ１１］
前記第２のＳＩＭをサポートするために前記ＷＷＡＮトランシーバと前記ＷＬＡＮトランシーバとを選択的に動作させることは、
前記第２のＳＩＭに関する音声呼を検出することと、
前記第１のＳＩＭが第１ＳＩＭスタンバイモードにある第１の期間中、前記第２のＳＩＭをサポートするために前記ＷＷＡＮトランシーバを動作させることから、前記第１のＳＩＭが第１ＳＩＭアクティブモードにある第２の期間中、前記第２のＳＩＭをサポートするために前記ＷＬＡＮトランシーバを動作させることへと切り替えることと
をさらに備える、Ｃ１に記載の方法。
［Ｃ１２］
前記第１のＳＩＭが前記第１ＳＩＭアクティブモードにある前記第２の期間中、前記第２のＳＩＭをサポートするために前記ＷＬＡＮトランシーバを動作させることは、
前記第１のＳＩＭが前記第１ＳＩＭアクティブモードにある前記第２の期間中、前記第２のＳＩＭをサポートするために前記ＷＬＡＮトランシーバの受信チェーンまたは送信チェーンのうちの１つを動作させること
を備える、Ｃ１１に記載の方法。
［Ｃ１３］
前記第２のＳＩＭに関する前記音声呼を検出することは、
前記ＵＥにおいて、前記音声呼についてのページをＷＷＡＮから受信すること
を備える、Ｃ１１に記載の方法。
［Ｃ１４］
前記音声呼は、グローバル・システム・フォー・モバイル・コミュニケーションズ（ＧＳＭ）音声呼を備える、Ｃ１１に記載の方法。
［Ｃ１５］
前記第２のＳＩＭをサポートするために前記ＷＷＡＮトランシーバと前記ＷＬＡＮトランシーバとを選択的に動作させることは、
前記第２のＳＩＭに関する音声呼を終了することと、
前記第１のＳＩＭが第１ＳＩＭアクティブモードにある第１の期間中、前記第２のＳＩＭをサポートするために前記ＷＬＡＮトランシーバを動作させることから、前記第１のＳＩＭが第１ＳＩＭスタンバイモードにある第２の期間中、前記第２のＳＩＭをサポートするために前記ＷＷＡＮトランシーバを動作させることへと切り替えることと
をさらに備える、Ｃ１に記載の方法。
［Ｃ１６］
前記第１のＳＩＭが前記第１ＳＩＭスタンバイモードにある前記第２の期間中、前記第２のＳＩＭをサポートするために前記ＷＷＡＮトランシーバを動作させることは、
前記第１のＳＩＭが前記第１ＳＩＭスタンバイモードにある前記第２の期間中、前記第２のＳＩＭをサポートするために前記ＷＷＡＮトランシーバの受信チェーンまたは送信チェーンのうちの１つを動作させること
を備える、Ｃ１５に記載の方法。
［Ｃ１７］
前記第２のＳＩＭをサポートするために前記ＷＷＡＮトランシーバと前記ＷＬＡＮトランシーバとを選択的に動作させることは、
第１ＳＩＭアクティブモードとは関係なく、第２ＳＩＭアクティブモードをサポートするために前記ＷＬＡＮトランシーバを動作させること
を備える、Ｃ１に記載の方法。
［Ｃ１８］
前記第２のＳＩＭをサポートするために前記ＷＷＡＮトランシーバと前記ＷＬＡＮトランシーバとを選択的に動作させることは、
前記第１ＳＩＭアクティブモードとは関係なく、第２ＳＩＭスタンバイモードをサポートするために前記ＷＬＡＮトランシーバを動作させること
をさらに備える、Ｃ１７に記載の方法。
［Ｃ１９］
前記第２のＳＩＭをサポートするために前記ＷＷＡＮトランシーバと前記ＷＬＡＮトランシーバとを選択的に動作させることは、
前記第１ＳＩＭアクティブモードとは関係なく、第２ＳＩＭスタンバイモードをサポートするために前記ＷＷＡＮトランシーバを動作させること
をさらに備える、Ｃ１７に記載の方法。
［Ｃ２０］
前記第１ＳＩＭアクティブモードとは関係なく、前記第２ＳＩＭアクティブモードをサポートするために前記ＷＬＡＮトランシーバを動作させることは、
前記ＷＬＡＮトランシーバの受信チェーンを用いて、前記第２のＳＩＭのために前記ＵＥにおいてＷＷＡＮから受信される第１の信号を処理することと、
前記ＷＷＡＮトランシーバの送信チェーンを用いて、前記第２のＳＩＭのために前記ＵＥから前記ＷＷＡＮに送信されるべき第２の信号を処理することと
を備える、Ｃ１７に記載の方法。
［Ｃ２１］
前記第１ＳＩＭアクティブモードとは関係なく、前記第２ＳＩＭアクティブモードをサポートするために前記ＷＬＡＮトランシーバを動作させることは、
前記ＷＷＡＮトランシーバの受信チェーンを用いて、前記第２のＳＩＭのために前記ＵＥにおいてＷＷＡＮから受信される第１の信号を処理することと、
前記ＷＬＡＮトランシーバの送信チェーンを用いて、前記第２のＳＩＭのために前記ＵＥから前記ＷＷＡＮに送信されるべき第２の信号を処理することと
を備える、Ｃ１７に記載の方法。
［Ｃ２２］
前記第１のＳＩＭが第１ＳＩＭスタンバイモードから第１ＳＩＭアクティブモードへと切り替えられたことを検出することと、
前記第１のＳＩＭが前記第１ＳＩＭアクティブモードにある間、前記第２のＳＩＭをサポートするために前記ＷＷＡＮトランシーバを動作させることから、前記第２のＳＩＭをサポートするために前記ＷＬＡＮトランシーバの受信チェーンまたは送信チェーンのうちの１つを動作させることへと切り替えることと
をさらに備える、Ｃ１に記載の方法。
［Ｃ２３］
前記第１のＳＩＭが第１ＳＩＭアクティブモードから第１ＳＩＭスタンバイモードへと切り替えられたことを検出することと、
前記第１のＳＩＭが前記第１ＳＩＭアクティブモードにある間、前記第２のＳＩＭをサポートするために前記ＷＬＡＮトランシーバを動作させることから、前記第２のＳＩＭをサポートするために前記ＷＷＡＮトランシーバの受信チェーンまたは送信チェーンのうちの１つを動作させることへと切り替えることと
をさらに備える、Ｃ１に記載の方法。
［Ｃ２４］
前記第１のＳＩＭのサポートに関連のない、および前記第２のＳＩＭのサポートに関連のない前記ＵＥのＷＬＡＮ機能をサポートするために、前記ＷＬＡＮトランシーバを動作させることと、
前記ＷＬＡＮ機能をサポートするために前記ＷＬＡＮトランシーバを動作させている間、前記第２のＳＩＭをサポートするために前記ＷＷＡＮトランシーバの動作を切り替えることと
をさらに備える、Ｃ１に記載の方法。
［Ｃ２５］
ワイヤレス通信のための装置であって、
ユーザ機器（ＵＥ）の第１の加入者識別モジュール（ＳＩＭ）をサポートするために、ワイヤレスワイドエリアネットワーク（ＷＷＡＮ）トランシーバを動作させるための手段と、
前記ＵＥの第２のＳＩＭをサポートするために、前記ＷＷＡＮトランシーバとワイヤレスローカルエリアネットワーク（ＷＬＡＮ）トランシーバとを選択的に動作させるための手段と
を備える、装置。
［Ｃ２６］
前記第１のＳＩＭが第１ＳＩＭスタンバイモードから第１ＳＩＭアクティブモードへと切り替えられたことを検出するための手段と、
前記第２のＳＩＭをサポートするために前記ＷＷＡＮトランシーバを動作させることから、前記第２のＳＩＭをサポートするために前記ＷＬＡＮトランシーバを動作させることへと移行するための手段と
をさらに備える、Ｃ２５に記載の装置。
［Ｃ２７］
前記第２のＳＩＭをサポートするために前記ＷＷＡＮトランシーバと前記ＷＬＡＮトランシーバとを選択的に動作させるための前記手段は、
前記第１のＳＩＭが第１ＳＩＭアクティブモードにある第１の期間中、前記第２のＳＩＭをサポートするために前記ＷＬＡＮトランシーバを動作させるための手段と、
前記第１のＳＩＭが第１ＳＩＭスタンバイモードにあり、前記第２のＳＩＭが第２ＳＩＭスタンバイモードにある第２の期間中、前記第２のＳＩＭをサポートするために前記ＷＬＡＮトランシーバを動作させるための手段と
をさらに備える、Ｃ２５に記載の装置。
［Ｃ２８］
前記ＷＷＡＮトランシーバによって、第２のＳＩＭに関する音声呼を検出するために、前記第２のＳＩＭについてのページングを監視するための手段と、
前記第１のＳＩＭが第１ＳＩＭアクティブモードにある間、前記第２のＳＩＭに関する前記音声呼をサポートするために、前記ＷＬＡＮトランシーバを動作させるための手段と
さらに備える、Ｃ２５に記載の装置。
［Ｃ２９］
前記第２のＳＩＭをサポートするために前記ＷＷＡＮトランシーバと前記ＷＬＡＮトランシーバとを選択的に動作させるための前記手段は、
前記第１のＳＩＭが第１ＳＩＭアクティブモードにある第１の期間中、前記第２のＳＩＭをサポートするために前記ＷＬＡＮトランシーバを動作させるための手段
を備える、Ｃ２５に記載の装置。
［Ｃ３０］
前記第１のＳＩＭが前記第１ＳＩＭアクティブモードにある前記第１の期間中、前記第２のＳＩＭをサポートするために前記ＷＬＡＮトランシーバを動作させるための前記手段は、
前記ＷＬＡＮトランシーバの受信チェーンを用いて、前記第１の期間中、前記第２のＳＩＭのために前記ＵＥにおいてＷＷＡＮから受信される第１の信号を処理するための手段と、
前記ＷＷＡＮトランシーバの送信チェーンを用いて、前記第１の期間中、前記第２のＳＩＭのために前記ＵＥから前記ＷＷＡＮに送信されるべき第２の信号を処理するための手段と
をさらに備える、Ｃ２９に記載の装置。
［Ｃ３１］
前記第１の期間中、前記第２のＳＩＭをサポートするために前記ＷＷＡＮを動作させるための前記手段は、
前記ＷＷＡＮトランシーバの受信チェーンを用いて、前記第１の期間中、前記第２のＳＩＭのために前記ＵＥにおいてＷＷＡＮから受信される第１の信号を処理するための手段と、
前記ＷＬＡＮトランシーバの送信チェーンを用いて、前記第１の期間中、前記第２のＳＩＭのために前記ＵＥから前記ＷＷＡＮに送信されるべき第２の信号を処理するための手段と
をさらに備える、Ｃ２９に記載の装置。
［Ｃ３２］
前記第２のＳＩＭをサポートするために前記ＷＷＡＮトランシーバと前記ＷＬＡＮトランシーバとを選択的に動作させるための前記手段は、
前記第１のＳＩＭが第１ＳＩＭスタンバイモードにあり、前記第２のＳＩＭが第２ＳＩＭスタンバイモードにある第２の期間中、前記第２のＳＩＭをサポートするために前記ＷＷＡＮトランシーバを動作させるための手段
をさらに備える、Ｃ２９に記載の装置。
［Ｃ３３］
前記第２のＳＩＭをサポートするために前記ＷＷＡＮトランシーバと前記ＷＬＡＮトランシーバとを選択的に動作させるための前記手段は、
前記第１のＳＩＭが第１ＳＩＭスタンバイモードにあり、前記第２のＳＩＭが第２ＳＩＭアクティブモードにある第２の期間中、前記第２のＳＩＭをサポートするために前記ＷＷＡＮトランシーバを動作させるための手段
をさらに備える、Ｃ２９に記載の装置。
［Ｃ３４］
前記第２のＳＩＭをサポートするために前記ＷＷＡＮトランシーバと前記ＷＬＡＮトランシーバとを選択的に動作させるための前記手段は、
前記第１のＳＩＭが第１ＳＩＭスタンバイモードにあり、前記第２のＳＩＭが第２ＳＩＭアクティブモードにある第２の期間中、前記第２のＳＩＭをサポートするために前記ＷＬＡＮトランシーバを動作させるための手段
をさらに備える、Ｃ２９に記載の装置。
［Ｃ３５］
前記第２のＳＩＭをサポートするために前記ＷＷＡＮトランシーバと前記ＷＬＡＮトランシーバとを選択的に動作させるための前記手段は、
前記第２のＳＩＭに関する音声呼を検出するための手段と、
前記第１のＳＩＭが第１ＳＩＭスタンバイモードにある第１の期間中、前記第２のＳＩＭをサポートするために前記ＷＷＡＮトランシーバを動作させることから、前記第１のＳＩＭが第１ＳＩＭアクティブモードにある第２の期間中、前記第２のＳＩＭをサポートするために前記ＷＬＡＮトランシーバを動作させることへと切り替えるための手段と
をさらに備える、Ｃ２５に記載の装置。
［Ｃ３６］
前記第１のＳＩＭが前記第１ＳＩＭアクティブモードにある前記第２の期間中、前記第２のＳＩＭをサポートするために前記ＷＬＡＮトランシーバを動作させるための前記手段は、
前記第１のＳＩＭが前記第１ＳＩＭアクティブモードにある前記第２の期間中、前記第２のＳＩＭをサポートするために前記ＷＬＡＮトランシーバの受信チェーンまたは送信チェーンのうちの１つを動作させるための手段
を備える、Ｃ３５に記載の装置。
［Ｃ３７］
前記第２のＳＩＭに関する前記音声呼を検出するための前記手段は、
前記ＵＥにおいて、前記音声呼についてのページをＷＷＡＮから受信するための手段
を備える、Ｃ３５に記載の装置。
［Ｃ３８］
前記音声呼は、グローバル・システム・フォー・モバイル・コミュニケーションズ（ＧＳＭ）音声呼を備える、Ｃ３５に記載の装置。
［Ｃ３９］
前記第２のＳＩＭをサポートするために前記ＷＷＡＮトランシーバと前記ＷＬＡＮトランシーバとを選択的に動作させるための前記手段は、
前記第２のＳＩＭに関する音声呼を終了するための手段と、
前記第１のＳＩＭが第１ＳＩＭアクティブモードにある第１の期間中、前記第２のＳＩＭをサポートするために前記ＷＬＡＮトランシーバを動作させることから、前記第１のＳＩＭが第１ＳＩＭスタンバイモードにある第２の期間中、前記第２のＳＩＭをサポートするために前記ＷＷＡＮトランシーバを動作させることへと切り替えるための手段
をさらに備える、Ｃ２５に記載の装置。
［Ｃ４０］
前記第１のＳＩＭが前記第１ＳＩＭスタンバイモードにある前記第２の期間中、前記第２のＳＩＭをサポートするために前記ＷＷＡＮトランシーバを動作させるための前記手段は、
前記第１のＳＩＭが前記第１ＳＩＭスタンバイモードにある前記第２の期間中、前記第２のＳＩＭをサポートするために前記ＷＷＡＮトランシーバの受信チェーンまたは送信チェーンのうちの１つを動作させるための手段
を備える、Ｃ３９に記載の装置。
［Ｃ４１］
前記第２のＳＩＭをサポートするために前記ＷＷＡＮトランシーバと前記ＷＬＡＮトランシーバとを選択的に動作させるための前記手段は、
第１ＳＩＭアクティブモードとは関係なく、第２ＳＩＭアクティブモードをサポートするために前記ＷＬＡＮトランシーバを動作させるための手段
を備える、Ｃ２５に記載の装置。
［Ｃ４２］
前記第２のＳＩＭをサポートするために前記ＷＷＡＮトランシーバと前記ＷＬＡＮトランシーバとを選択的に動作させるための前記手段は、
前記第１ＳＩＭアクティブモードとは関係なく、第２ＳＩＭスタンバイモードをサポートするために前記ＷＬＡＮトランシーバを動作させるための手段
をさらに備える、Ｃ４１に記載の装置。
［Ｃ４３］
前記第２のＳＩＭをサポートするために前記ＷＷＡＮトランシーバと前記ＷＬＡＮトランシーバとを選択的に動作させるための前記手段は、
前記第１ＳＩＭアクティブモードとは関係なく、第２ＳＩＭスタンバイモードをサポートするために前記ＷＷＡＮトランシーバを動作させるための手段
をさらに備える、Ｃ４１に記載の装置。
［Ｃ４４］
前記第１ＳＩＭアクティブモードとは関係なく、前記第２ＳＩＭアクティブモードをサポートするために前記ＷＬＡＮトランシーバを動作させるための前記手段は、
前記ＷＬＡＮトランシーバの受信チェーンを用いて、前記第２のＳＩＭのために前記ＵＥにおいてＷＷＡＮから受信される第１の信号を処理するための手段と、
前記ＷＷＡＮトランシーバの送信チェーンを用いて、前記第２のＳＩＭのために前記ＵＥから前記ＷＷＡＮに送信されるべき第２の信号を処理するための手段と
を備える、Ｃ４１に記載の装置。
［Ｃ４５］
前記第１ＳＩＭアクティブモードとは関係なく、前記第２ＳＩＭアクティブモードをサポートするために前記ＷＬＡＮトランシーバを動作させるための前記手段は、
前記ＷＷＡＮトランシーバの受信チェーンを用いて、前記第２のＳＩＭのために前記ＵＥにおいてＷＷＡＮから受信される第１の信号を処理するための手段と、
前記ＷＬＡＮトランシーバの送信チェーンを用いて、前記第２のＳＩＭのために前記ＵＥから前記ＷＷＡＮに送信されるべき第２の信号を処理するための手段と
を備える、Ｃ４１に記載の装置。
［Ｃ４６］
前記第１のＳＩＭが第１ＳＩＭスタンバイモードから第１ＳＩＭアクティブモードへと切り替えられたことを検出するための手段と、
前記第１のＳＩＭが前記第１ＳＩＭアクティブモードにある間、前記第２のＳＩＭをサポートするために前記ＷＷＡＮトランシーバを動作させることから、前記第２のＳＩＭをサポートするために前記ＷＬＡＮトランシーバの受信チェーンまたは送信チェーンのうちの１つを動作させることへと切り替えるための手段と
をさらに備える、Ｃ２５に記載の装置。
［Ｃ４７］
前記第１のＳＩＭが第１ＳＩＭアクティブモードから第１ＳＩＭスタンバイモードへと切り替えられたことを検出するための手段と、
前記第１のＳＩＭが前記第１ＳＩＭアクティブモードにある間、前記第２のＳＩＭをサポートするために前記ＷＬＡＮトランシーバを動作させることから、前記第２のＳＩＭをサポートするために前記ＷＷＡＮトランシーバの受信チェーンまたは送信チェーンのうちの１つを動作させることへと切り替えるための手段と
をさらに備える、Ｃ２５に記載の装置。
［Ｃ４８］
前記第１のＳＩＭのサポートに関連のない、および前記第２のＳＩＭのサポートに関連のない前記ＵＥのＷＬＡＮ機能をサポートするために、前記ＷＬＡＮトランシーバを動作させるための手段と、
前記ＷＬＡＮ機能をサポートするために前記ＷＬＡＮトランシーバを動作させている間、前記第２のＳＩＭをサポートするために前記ＷＷＡＮトランシーバの動作を切り替えるための手段と
をさらに備える、Ｃ２５に記載の装置。
［Ｃ４９］
ワイヤレス通信のための装置であって、
プロセッサと、
前記プロセッサと電子通信するメモリと、
前記メモリに記憶される命令と
を備え、前記命令は、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと
を行うように前記プロセッサによって実行可能である、装置。
［Ｃ５０］
前記メモリ内に記憶される前記命令は、
前記第２のＳＩＭをサポートするために前記ＷＬＡＮトランシーバを動作させることと、
前記第１のＳＩＭが第１ＳＩＭスタンバイモードから第１ＳＩＭアクティブモードへと切り替えられたことを検出することと、
前記第２のＳＩＭをサポートするために前記ＷＷＡＮトランシーバを動作させることから、前記第２のＳＩＭをサポートするために前記ＷＬＡＮトランシーバを動作させることへと移行することと
を行うように前記プロセッサによって実行可能な命令をさらに備える、Ｃ４９に記載の装置。
［Ｃ５１］
ワイヤレス通信のためのコンピュータ実行可能なコードを記憶する非一時的コンピュータ可読媒体であって、前記コードは、
ユーザ機器（ＵＥ）の第１の加入者識別モジュール（ＳＩＭ）をサポートするために、ワイヤレスワイドエリアネットワーク（ＷＷＡＮ）トランシーバを動作させることと、
前記ＵＥの第２のＳＩＭをサポートするために、前記ＷＷＡＮトランシーバとワイヤレスローカルエリアネットワーク（ＷＬＡＮ）トランシーバとを選択的に動作させることと
を行うようにプロセッサによって実行可能である、非一時的コンピュータ可読媒体。
［Ｃ５２］
前記コードは、
前記第１のＳＩＭが第１ＳＩＭスタンバイモードから第１ＳＩＭアクティブモードへと切り替えられたことを検出することと、
前記第２のＳＩＭをサポートするために前記ＷＷＡＮトランシーバを動作させることから、前記第２のＳＩＭをサポートするために前記ＷＬＡＮトランシーバを動作させることへと移行することと
を行うように前記プロセッサによってさらに実行可能である、Ｃ５１に記載の非一時的コンピュータ可読媒体。
【図１】
0006453489.tif 000002
【図２Ａ】
0006453489.tif 000003
【図２Ｂ】
0006453489.tif 000004
【図３Ａ】
0006453489.tif 000005
【図３Ｂ】
0006453489.tif 000006
【図３Ｃ】
0006453489.tif 000007
【図３Ｄ】
0006453489.tif 000008
【図４Ａ】
0006453489.tif 000009
【図４Ｂ】
0006453489.tif 000010
【図４Ｃ】
0006453489.tif 000011
【図４Ｄ】
0006453489.tif 000012
【図５】
0006453489.tif 000013
【図６Ａ】
0006453489.tif 000014
【図６Ｂ】
0006453489.tif 000015
【図６Ｃ】
0006453489.tif 000016
【図６Ｄ】
0006453489.tif 000017
【図７】
0006453489.tif 000018
【図８Ａ】
0006453489.tif 000019
【図８Ｂ】
0006453489.tif 000020
【図８Ｃ】
0006453489.tif 000021
【図８Ｄ】
0006453489.tif 000022
【図９】
0006453489.tif 000023
【図１０Ａ】
0006453489.tif 000024
【図１０Ｂ】
0006453489.tif 000025
【図１１】
0006453489.tif 000026
【図１２】
0006453489.tif 000027
【図１３】
0006453489.tif 000028